(57)【要約】【課題】撮像性能の優れた撮像装置を提供する。【解決手段】第１の層と、第２の層と、第３の層のそれぞれが互いに重なる領域を有し、第１の層および第２の層は、それぞれトランジスタを有し、第３の層は、光電変換素子を有し、第１の層に形成されるトランジスタのオフ電流は、第２の層に形成されるトランジスタよりも小さく、第２の層に形成されるトランジスタの電界効果移動度は、第１の層に形成されるトランジスタよりも大きい構成とする。【選択図】図１
2020191471.tif 000002
【特許請求の範囲】
【請求項１】
光電変換素子と、
第１のトランジスタと、
前記光電変換素子の下層であって且つ前記第１のトランジスタの上層である層に配置された、第２のトランジスタと、
前記光電変換素子の受光面及び前記光電変換素子の側面の一部を覆うように配置された絶縁層と、
前記絶縁層の下方に配置され、前記光電変換素子のアノードと電気的に接続された導電層と、
前記導電層と重なる領域を有し、前記絶縁層の上方に配置された遮光層と、を有する撮像装置。
【請求項２】
フォトダイオードと、
第１のトランジスタと、
前記フォトダイオードの下層であって且つ前記第１のトランジスタの上層である層に配置された、第２のトランジスタと、
前記フォトダイオードの受光面及び前記フォトダイオードの側面の一部を覆うように配置された絶縁層と、
前記絶縁層の下方に配置され、前記フォトダイオードのアノードと電気的に接続された導電層と、
前記導電層と重なる領域を有し、前記絶縁層の上方に配置された遮光層と、を有する撮像装置。
【発明の詳細な説明】
【技術分野】
【０００１】
本発明の一態様は、酸化物半導体を用いた撮像装置に関する。
【０００２】
なお、本発明の一態様は、上記の技術分野に限定されない。本明細書等で開示する発明の
一態様の技術分野は、物、方法、または、製造方法に関するものである。または、本発明
の一態様は、プロセス、マシン、マニュファクチャ、または、組成物（コンポジション・
オブ・マター）に関するものである。そのため、より具体的に本明細書で開示する本発明
の一態様の技術分野としては、半導体装置、表示装置、液晶表示装置、発光装置、照明装
置、蓄電装置、記憶装置、撮像装置、それらの駆動方法、または、それらの製造方法、を
一例として挙げることができる。
【０００３】
なお、本明細書等において半導体装置とは、半導体特性を利用することで機能しうる装置
全般を指す。トランジスタ、半導体回路は半導体装置の一態様である。また、記憶装置、
表示装置、撮像装置、電子機器は、半導体装置を有する場合がある。
【背景技術】
【０００４】
絶縁表面を有する基板上に形成された半導体薄膜を用いてトランジスタを構成する技術が
注目されている。当該トランジスタは集積回路（ＩＣ）や表示装置のような電子デバイス
に広く応用されている。トランジスタに適用可能な半導体材料として、シリコン系半導体
が広く知られているが、その他の材料として酸化物半導体が注目されている。
【０００５】
例えば、酸化物半導体として酸化亜鉛、またはＩｎ−Ｇａ−Ｚｎ系酸化物半導体を用いて
トランジスタを作製する技術が開示されている（特許文献１および特許文献２参照）。
【０００６】
また、特許文献３では、酸化物半導体を有するオフ電流が極めて低いトランジスタを画素
回路の一部に用い、ＣＭＯＳ（Ｃｏｍｐｌｅｍｅｎｔａｒｙ  Ｍｅｔａｌ  Ｏｘｉｄｅ  
Ｓｅｍｉｃｏｎｄｕｃｔｏｒ）回路が作製可能なシリコンを有するトランジスタを周辺回
路に用いる構成の撮像装置が開示されている。
【０００７】
また、特許文献４では、シリコンを有するトランジスタと、酸化物半導体を有するトラン
ジスタと、結晶性シリコン層を有するフォトダイオードを積層する構成の撮像装置が開示
されている。
【先行技術文献】
【特許文献】
【０００８】
【特許文献１】特開２００７−１２３８６１号公報
【特許文献２】特開２００７−９６０５５号公報
【特許文献３】特開２０１１−１１９７１１号公報
【特許文献４】特開２０１３−２４３３５５号公報
【発明の概要】
【発明が解決しようとする課題】
【０００９】
個々のトランジスタに求められる特性は、同一回路内においても異なることがある。例え
ば、イメージセンサの画素の増幅トランジスタは、高いオン電流特性を有することが好ま
しい。また、フォトダイオードと接続される転送トランジスタは、低いオフ電流特性を有
することが好ましい。つまり、性能の優れた撮像装置を形成するには、要求される特性を
有するようにトランジスタを作り分けることが望まれる。
【００１０】
したがって、本発明の一態様では、撮像性能の優れた撮像装置を提供することを目的の一
つとする。異なる材料で形成されたトランジスタを有する撮像装置を提供することを目的
の一つとする。または、異なる材料で形成されたトランジスタが積層された撮像装置を提
供することを目的の一つとする。または、高速動作に適した撮像装置を提供することを目
的の一つとする。または、解像度の高い撮像装置を提供することを目的の一つとする。ま
たは、集積度の高い撮像装置を提供することを目的の一つとする。または、低消費電力の
撮像装置を提供することを目的の一つとする。または、低照度下で撮像することができる
撮像装置を提供することを目的の一つとする。または、ダイナミックレンジの広い撮像装
置を提供することを目的の一つとする。または、広い温度範囲において使用可能な撮像装
置を提供することを目的の一つとする。または、高開口率の撮像装置を提供することを目
的の一つとする。または、信頼性の高い撮像装置を提供することを目的の一つとする。ま
たは、新規な撮像装置などを提供することを目的の一つとする。または、新規な半導体装
置などを提供することを目的の一つとする。
【００１１】
なお、これらの課題の記載は、他の課題の存在を妨げるものではない。なお、本発明の一
態様は、これらの課題の全てを解決する必要はないものとする。なお、これら以外の課題
は、明細書、図面、請求項などの記載から、自ずと明らかとなるものであり、明細書、図
面、請求項などの記載から、これら以外の課題を抽出することが可能である。
【課題を解決するための手段】
【００１２】
本発明の一態様は、酸化物半導体用いて形成されたトランジスタを有する撮像装置に関す
る。
【００１３】
本発明の一態様は、第１の層と、第２の層と、第３の層と、を有する撮像装置であって、
第１の層、第２の層および第３の層は、それぞれが互いに重なる領域を有し、第１の層は
、第１のトランジスタおよび第２のトランジスタを有し、第２の層は、第３のトランジス
タおよび第４のトランジスタを有し、第１のトランジスタ乃至第４のトランジスタは活性
層に酸化物半導体を有し、第３の層は、光電変換素子を有し、第１のトランジスタのソー
スまたはドレインの一方は、第２のトランジスタのソースまたはドレインの一方と電気的
に接続され、第２のトランジスタのソースまたはドレインの一方は、第３のトランジスタ
のゲートと電気的に接続され、第３のトランジスタのソースまたはドレインの一方は、第
４のトランジスタのソースまたはドレインの一方と電気的に接続され、光電変換素子の一
方の電極は、第１のトランジスタのソースまたはドレインの他方と電気的に接続され、第
１のトランジスタおよび第２のトランジスタのオフ電流は、第３のトランジスタおよび第
４のトランジスタよりも小さく、第３のトランジスタおよび第４のトランジスタの電界効
果移動度は、第１のトランジスタおよび前記第２のトランジスタよりも大きいことを特徴
とする撮像装置である。
【００１４】
上記の態様において、第１の層、第２の層および第３の層は、高さ方向に、第１の層、第
２の層、第３の層の順で配置される構成、または、第２の層、第１の層、第３の層の順で
高さ方向に配置される構成とすることができる。
【００１５】
また、本発明の他の一態様は、第１の層と、第２の層と、第３の層と、第４の層と、を含
む積層体を有する撮像装置であって、第１の層、第２の層、第３の層および第４の層は、
それぞれが互いに重なる領域を有し、第１の層は、光電変換素子を有し、第２の層は、第
１のトランジスタおよび第２のトランジスタを有し、第３の層は、第３のトランジスタお
よび第４のトランジスタを有し、第４の層は、第５のトランジスタを有し、第１のトラン
ジスタ乃至第４のトランジスタは活性層に酸化物半導体を有し、第５のトランジスタは活
性領域または活性層にシリコンを有し、第１のトランジスタ乃至第４のトランジスタは、
第１の回路を構成し、第５のトランジスタは、第２の回路を構成し、第１のトランジスタ
のソースまたはドレインの一方は、第２のトランジスタのソースまたはドレインの一方と
電気的に接続され、第２のトランジスタのソースまたはドレインの一方は、第３のトラン
ジスタのゲートと電気的に接続され、第３のトランジスタのソースまたはドレインの一方
は、第４のトランジスタのソースまたはドレインの一方と電気的に接続され、光電変換素
子の一方の電極は、第１のトランジスタのソースまたはドレインの他方と電気的に接続さ
れ、第１のトランジスタおよび第２のトランジスタのオフ電流は、第３のトランジスタお
よび第４のトランジスタよりも小さく、第３のトランジスタおよび第４のトランジスタの
電界効果移動度は、第１のトランジスタおよび第２のトランジスタよりも大きいことを特
徴とする撮像装置である。
【００１６】
また、本発明の他の一態様は、第１の層と、第２の層と、第３の層と、第４の層と、を含
む積層体を有する撮像装置であって、第１の層、第２の層、第３の層および第４の層は、
それぞれが互いに重なる領域を有し、第１の層は、光電変換素子を有し、第２の層は、第
１のトランジスタおよび第２のトランジスタを有し、第３の層は、第３のトランジスタ、
第４のトランジスタおよび第５のトランジスタを有し、第４の層は、第６のトランジスタ
を有し、第１のトランジスタ乃至第５のトランジスタは活性層に酸化物半導体を有し、第
６のトランジスタは活性領域または活性層にシリコンを有し、第１のトランジスタ乃至第
４のトランジスタは、第１の回路を構成し、第５のトランジスタおよび第６のトランジス
タは、第２の回路を構成し、第１のトランジスタのソースまたはドレインの一方は、第２
のトランジスタのソースまたはドレインの一方と電気的に接続され、第２のトランジスタ
のソースまたはドレインの一方は、第３のトランジスタのゲートと電気的に接続され、第
３のトランジスタのソースまたはドレインの一方は、第４のトランジスタのソースまたは
ドレインの一方と電気的に接続され、光電変換素子の一方の電極は、第１のトランジスタ
のソースまたはドレインの他方と電気的に接続され、第１のトランジスタおよび第２のト
ランジスタのオフ電流は、第３のトランジスタ、第４のトランジスタおよび第５のトラン
ジスタよりも小さく、第３のトランジスタ、第４のトランジスタおよび第５のトランジス
タの電界効果移動度は、第１のトランジスタおよび第２のトランジスタよりも大きいこと
を特徴とする撮像装置である。
【００１７】
上記第１の層乃至第４の層を有する態様において、第１の層、第２の層、第３の層および
第４の層は、高さ方向に、第１の層、第２の層、第３の層、第４の層の順で配置される構
成、または、第１の層、第３の層、第２の層、第４の層の順で配置される構成とすること
ができる。
【００１８】
また、第１のトランジスタのソースまたはドレインの一方は、容量素子の一方の電極と電
気的に接続されている構成とすることができる。
【００１９】
また、酸化物半導体は、Ｉｎと、Ｚｎと、Ｍ（ＭはＡｌ、Ｔｉ、Ｇａ、Ｓｎ、Ｙ、Ｚｒ、
Ｌａ、Ｃｅ、ＮｄまたはＨｆ）と、を有することが好ましい。
【００２０】
また、光電変換素子は、光電変換層にセレンまたはセレンを含む化合物を用いることがで
きる。
【発明の効果】
【００２１】
したがって、本発明の一態様では、撮像性能の優れた撮像装置を提供することができる。
または、異なる材料で形成されたトランジスタを有する撮像装置を提供することができる
。または、異なる材料で形成されたトランジスタが積層された撮像装置を提供することが
できる。または、高速動作に適した撮像装置を提供することができる。または、解像度の
高い撮像装置を提供することができる。または、集積度の高い撮像装置を提供することが
できる。または、低消費電力の撮像装置を提供することができる。または、低照度下で撮
像することができる撮像装置を提供することができる。または、ダイナミックレンジの広
い撮像装置を提供することができる。または、広い温度範囲において使用可能な撮像装置
を提供することができる。または、高開口率の撮像装置を提供することができる。または
、信頼性の高い撮像装置を提供することができる。または、新規な撮像装置などを提供す
ることができる。または、新規な半導体装置などを提供することができる。
【００２２】
なお、本発明の一態様はこれらの効果に限定されるものではない。例えば、本発明の一態
様は、場合によっては、または、状況に応じて、これらの効果以外の効果を有する場合も
ある。または、例えば、本発明の一態様は、場合によっては、または、状況に応じて、こ
れらの効果を有さない場合もある。
【図面の簡単な説明】
【００２３】
【図１】撮像装置を説明する断面図および回路図。
【図２】撮像装置を説明する断面図および回路図。
【図３】光電変換素子の接続形態を説明する断面図。
【図４】撮像装置を説明する断面図。
【図５】光電変換素子の接続形態を説明する断面図。
【図６】撮像装置を説明する断面図。
【図７】撮像装置を説明する断面図。
【図８】撮像装置を構成する積層の状態を説明する図。
【図９】撮像装置の構成を説明する断面図。
【図１０】撮像装置を構成する積層の状態を説明する図。
【図１１】湾曲した撮像装置を説明する図。
【図１２】画素回路の構成を説明する図。
【図１３】画素回路の動作を説明するタイミングチャート。
【図１４】画素回路の構成を説明する図。
【図１５】画素回路の構成を説明する図。
【図１６】画素回路の構成を説明する図。
【図１７】画素回路の構成を説明する図。
【図１８】画素回路の構成を説明する図。
【図１９】画素回路の構成を説明する図。
【図２０】画素回路の構成を説明する図。
【図２１】グローバルシャッタ方式とローリングシャッタ方式の動作を説明するタイミングチャート。
【図２２】トランジスタを説明する上面図および断面図。
【図２３】トランジスタを説明する上面図および断面図。
【図２４】トランジスタを説明する上面図および断面図。
【図２５】トランジスタを説明する上面図および断面図。
【図２６】トランジスタを説明する上面図および断面図。
【図２７】トランジスタを説明する上面図および断面図。
【図２８】トランジスタのチャネル幅方向の断面を説明する図。
【図２９】トランジスタのチャネル長方向の断面を説明する図。
【図３０】半導体層を説明する上面図および断面図。
【図３１】トランジスタを説明する上面図および断面図。
【図３２】トランジスタを説明する上面図および断面図。
【図３３】トランジスタを説明する上面図および断面図。
【図３４】トランジスタを説明する上面図および断面図。
【図３５】トランジスタを説明する上面図および断面図。
【図３６】トランジスタを説明する上面図および断面図。
【図３７】トランジスタのチャネル幅方向の断面を説明する図。
【図３８】トランジスタのチャネル長方向の断面を説明する図。
【図３９】トランジスタを説明する上面図。
【図４０】電子機器を説明する図。
【図４１】光電変換素子の接続形態を説明する断面図。
【図４２】トランジスタの構成を説明する断面図。
【図４３】撮像装置の構成を説明する断面図。
【図４４】撮像装置の構成を説明する断面図。
【発明を実施するための形態】
【００２４】
実施の形態について、図面を用いて詳細に説明する。但し、本発明は以下の説明に限定さ
れず、本発明の趣旨およびその範囲から逸脱することなくその形態および詳細を様々に変
更し得ることは当業者であれば容易に理解される。したがって、本発明は以下に示す実施
の形態の記載内容に限定して解釈されるものではない。なお、以下に説明する発明の構成
において、同一部分または同様な機能を有する部分には同一の符号を異なる図面間で共通
して用い、その繰り返しの説明は省略することがある。なお、図を構成する同じ要素のハ
ッチングを異なる図面間で適宜省略または変更する場合もある。
【００２５】
例えば、本明細書等において、ＸとＹとが接続されている、と明示的に記載されている場
合は、ＸとＹとが電気的に接続されている場合と、ＸとＹとが機能的に接続されている場
合と、ＸとＹとが直接接続されている場合とが、本明細書等に開示されているものとする
。したがって、所定の接続関係、例えば、図または文章に示された接続関係に限定されず
、図または文章に示された接続関係以外のものも、図または文章に記載されているものと
する。
【００２６】
ここで、Ｘ、Ｙは、対象物（例えば、装置、素子、回路、配線、電極、端子、導電膜、層
、など）であるとする。
【００２７】
ＸとＹとが直接的に接続されている場合の一例としては、ＸとＹとの電気的な接続を可能
とする素子（例えば、スイッチ、トランジスタ、容量素子、インダクタ、抵抗素子、ダイ
オード、表示素子、発光素子、負荷など）が、ＸとＹとの間に接続されていない場合であ
り、ＸとＹとの電気的な接続を可能とする素子（例えば、スイッチ、トランジスタ、容量
素子、インダクタ、抵抗素子、ダイオード、表示素子、発光素子、負荷など）を介さずに
、ＸとＹとが、接続されている場合である。
【００２８】
ＸとＹとが電気的に接続されている場合の一例としては、ＸとＹとの電気的な接続を可能
とする素子（例えば、スイッチ、トランジスタ、容量素子、インダクタ、抵抗素子、ダイ
オード、表示素子、発光素子、負荷など）が、ＸとＹとの間に１個以上接続されることが
可能である。なお、スイッチは、オンオフが制御される機能を有している。つまり、スイ
ッチは、導通状態（オン状態）、または、非導通状態（オフ状態）になり、電流を流すか
流さないかを制御する機能を有している。または、スイッチは、電流を流す経路を選択し
て切り替える機能を有している。なお、ＸとＹとが電気的に接続されている場合は、Ｘと
Ｙとが直接的に接続されている場合を含むものとする。
【００２９】
ＸとＹとが機能的に接続されている場合の一例としては、ＸとＹとの機能的な接続を可能
とする回路（例えば、論理回路（インバータ、ＮＡＮＤ回路、ＮＯＲ回路など）、信号変
換回路（ＤＡ変換回路、ＡＤ変換回路、ガンマ補正回路など）、電位レベル変換回路（電
源回路（昇圧回路、降圧回路など）、信号の電位レベルを変えるレベルシフタ回路など）
、電圧源、電流源、切り替え回路、増幅回路（信号振幅または電流量などを大きく出来る
回路、オペアンプ、差動増幅回路、ソースフォロワ回路、バッファ回路など）、信号生成
回路、記憶回路、制御回路など）が、ＸとＹとの間に１個以上接続されることが可能であ
る。なお、一例として、ＸとＹとの間に別の回路を挟んでいても、Ｘから出力された信号
がＹへ伝達される場合は、ＸとＹとは機能的に接続されているものとする。なお、ＸとＹ
とが機能的に接続されている場合は、ＸとＹとが直接的に接続されている場合と、ＸとＹ
とが電気的に接続されている場合とを含むものとする。
【００３０】
なお、ＸとＹとが電気的に接続されている、と明示的に記載されている場合は、ＸとＹと
が電気的に接続されている場合（つまり、ＸとＹとの間に別の素子又は別の回路を挟んで
接続されている場合）と、ＸとＹとが機能的に接続されている場合（つまり、ＸとＹとの
間に別の回路を挟んで機能的に接続されている場合）と、ＸとＹとが直接接続されている
場合（つまり、ＸとＹとの間に別の素子又は別の回路を挟まずに接続されている場合）と
が、本明細書等に開示されているものとする。つまり、電気的に接続されている、と明示
的に記載されている場合は、単に、接続されている、とのみ明示的に記載されている場合
と同様な内容が、本明細書等に開示されているものとする。
【００３１】
なお、例えば、トランジスタのソース（又は第１の端子など）が、Ｚ１を介して（又は介
さず）、Ｘと電気的に接続され、トランジスタのドレイン（又は第２の端子など）が、Ｚ
２を介して（又は介さず）、Ｙと電気的に接続されている場合や、トランジスタのソース
（又は第１の端子など）が、Ｚ１の一部と直接的に接続され、Ｚ１の別の一部がＸと直接
的に接続され、トランジスタのドレイン（又は第２の端子など）が、Ｚ２の一部と直接的
に接続され、Ｚ２の別の一部がＹと直接的に接続されている場合では、以下のように表現
することが出来る。
【００３２】
例えば、「ＸとＹとトランジスタのソース（又は第１の端子など）とドレイン（又は第２
の端子など）とは、互いに電気的に接続されており、Ｘ、トランジスタのソース（又は第
１の端子など）、トランジスタのドレイン（又は第２の端子など）、Ｙの順序で電気的に
接続されている。」と表現することができる。または、「トランジスタのソース（又は第
１の端子など）は、Ｘと電気的に接続され、トランジスタのドレイン（又は第２の端子な
ど）はＹと電気的に接続され、Ｘ、トランジスタのソース（又は第１の端子など）、トラ
ンジスタのドレイン（又は第２の端子など）、Ｙは、この順序で電気的に接続されている
」と表現することができる。または、「Ｘは、トランジスタのソース（又は第１の端子な
ど）とドレイン（又は第２の端子など）とを介して、Ｙと電気的に接続され、Ｘ、トラン
ジスタのソース（又は第１の端子など）、トランジスタのドレイン（又は第２の端子など
）、Ｙは、この接続順序で設けられている」と表現することができる。これらの例と同様
な表現方法を用いて、回路構成における接続の順序について規定することにより、トラン
ジスタのソース（又は第１の端子など）と、ドレイン（又は第２の端子など）とを、区別
して、技術的範囲を決定することができる。
【００３３】
または、別の表現方法として、例えば、「トランジスタのソース（又は第１の端子など）
は、少なくとも第１の接続経路を介して、Ｘと電気的に接続され、前記第１の接続経路は
、第２の接続経路を有しておらず、前記第２の接続経路は、トランジスタを介した、トラ
ンジスタのソース（又は第１の端子など）とトランジスタのドレイン（又は第２の端子な
ど）との間の経路であり、前記第１の接続経路は、Ｚ１を介した経路であり、トランジス
タのドレイン（又は第２の端子など）は、少なくとも第３の接続経路を介して、Ｙと電気
的に接続され、前記第３の接続経路は、前記第２の接続経路を有しておらず、前記第３の
接続経路は、Ｚ２を介した経路である。」と表現することができる。または、「トランジ
スタのソース（又は第１の端子など）は、少なくとも第１の接続経路によって、Ｚ１を介
して、Ｘと電気的に接続され、前記第１の接続経路は、第２の接続経路を有しておらず、
前記第２の接続経路は、トランジスタを介した接続経路を有し、トランジスタのドレイン
（又は第２の端子など）は、少なくとも第３の接続経路によって、Ｚ２を介して、Ｙと電
気的に接続され、前記第３の接続経路は、前記第２の接続経路を有していない。」と表現
することができる。または、「トランジスタのソース（又は第１の端子など）は、少なく
とも第１の電気的パスによって、Ｚ１を介して、Ｘと電気的に接続され、前記第１の電気
的パスは、第２の電気的パスを有しておらず、前記第２の電気的パスは、トランジスタの
ソース（又は第１の端子など）からトランジスタのドレイン（又は第２の端子など）への
電気的パスであり、トランジスタのドレイン（又は第２の端子など）は、少なくとも第３
の電気的パスによって、Ｚ２を介して、Ｙと電気的に接続され、前記第３の電気的パスは
、第４の電気的パスを有しておらず、前記第４の電気的パスは、トランジスタのドレイン
（又は第２の端子など）からトランジスタのソース（又は第１の端子など）への電気的パ
スである。」と表現することができる。これらの例と同様な表現方法を用いて、回路構成
における接続経路について規定することにより、トランジスタのソース（又は第１の端子
など）と、ドレイン（又は第２の端子など）とを、区別して、技術的範囲を決定すること
ができる。
【００３４】
なお、これらの表現方法は、一例であり、これらの表現方法に限定されない。ここで、Ｘ
、Ｙ、Ｚ１、Ｚ２は、対象物（例えば、装置、素子、回路、配線、電極、端子、導電膜、
層、など）であるとする。
【００３５】
なお、回路図上は独立している構成要素同士が電気的に接続しているように図示されてい
る場合であっても、１つの構成要素が、複数の構成要素の機能を併せ持っている場合もあ
る。例えば配線の一部が電極としても機能する場合は、一の導電膜が、配線の機能、及び
電極の機能の両方の構成要素の機能を併せ持っている。したがって、本明細書における電
気的に接続とは、このような、一の導電膜が、複数の構成要素の機能を併せ持っている場
合も、その範疇に含める。
【００３６】
なお、「膜」という言葉と、「層」という言葉とは、場合によっては、または、状況に応
じて、互いに入れ替えることが可能である。例えば、「導電層」という用語を、「導電膜
」という用語に変更することが可能な場合がある。または、例えば、「絶縁膜」という用
語を、「絶縁層」という用語に変更することが可能な場合がある。
【００３７】
（実施の形態１）
本実施の形態では、本発明の一態様である撮像装置について、図面を参照して説明する。
【００３８】
図１（Ａ）は、本発明の一態様の撮像装置の画素の構成を示す断面図であり、図１（Ｂ）
に示す回路９１が形成される領域の断面の一例を示している。
【００３９】
当該撮像装置は、トランジスタ５１、トランジスタ５２等を有する層１１００と、トラン
ジスタ５３、トランジスタ５４等を有する層１２００と、光電変換素子６０を有する層１
３００を備えている。
【００４０】
図１（Ａ）において、光電変換素子６０には、シリコン基板４０に形成されたフォトダイ
オードを例示しているが、後述する他の構成の光電変換素子を用いてもよい。
【００４１】
層１１００、層１２００および層１３００は、図１（Ａ）および図８（Ａ）に示すように
、高さ方向に、層１１００、層１２００、層１３００の順序で配置することができる。ま
た、図８（Ｂ）に示すように、高さ方向に、層１２００、層１１００、層１３００の順序
で配置することもできる。また、上記以外の層が当該積層構造に含まれる場合もある。ま
た、上記の一部の層が含まれない場合もある。
【００４２】
回路９１において、トランジスタ５１のソース電極またはドレイン電極の一方は、光電変
換素子６０の一方の電極と電気的に接続される。トランジスタ５１のソース電極またはド
レイン電極の他方は、トランジスタ５３のゲート電極と電気的に接続される。トランジス
タ５１のソース電極またはドレイン電極の他方は、トランジスタ５２のソース電極または
ドレイン電極の一方と電気的に接続される。トランジスタ５３のソース電極またはドレイ
ン電極の一方は、トランジスタ５４のソース電極またはドレイン電極の一方と電気的に接
続される。図１（Ａ）、（Ｂ）には、トランジスタ５１のソース電極またはドレイン電極
の他方が容量素子５９の一方の電極と電気的に接続された形態を図示しているが、容量素
子５９を設けない構成とすることもできる。なお、上記要素間の電気的な接続の形態は一
例である。
【００４３】
本実施の形態において、各配線、各電極および各導電体８１を個別の要素として図示して
いるが、それらが電気的に接続している場合においては、同一の要素として設けられる場
合もある。また、トランジスタのゲート電極、ソース電極、またはドレイン電極が導電体
８１を介して各配線と接続される形態は一例であり、トランジスタのゲート電極、ソース
電極、またはドレイン電極のそれぞれが配線としての機能を有する場合もある。また、図
面に示される配線等の一部が設けられない場合や、上記以外の配線等やトランジスタ等が
各層に含まれる場合もある。
【００４４】
各要素上には保護膜、層間絶縁膜または平坦化膜としての機能を有する絶縁層４１乃至絶
縁層４４等が設けられる。例えば、絶縁層４１乃至絶縁層４４等は、酸化シリコン膜、酸
化窒化シリコン膜などの無機絶縁膜を用いることができる。または、アクリル樹脂、ポリ
イミド樹脂などの有機絶縁膜などを用いてもよい。絶縁層４１乃至絶縁層４４等の上面は
、必要に応じてＣＭＰ（Ｃｈｅｍｉｃａｌ  Ｍｅｃｈａｎｉｃａｌ  Ｐｏｌｉｓｈｉｎｇ
）法等で平坦化処理を行うことが好ましい。
【００４５】
配線７１および配線７３は、一方が電源線、他方が出力線として機能させることができる
。配線７２は電源線として機能させることができる。配線７７は電源線（低電位）として
機能させることができる。配線７４、７５、７６は、トランジスタのオンオフを制御する
信号線として機能させることができる。配線７４は接続配線として機能させることができ
る。
【００４６】
トランジスタ５１は、光電変換素子６０の出力に応じて電荷蓄積部（ＦＤ）の電位を制御
するための転送トランジスタとして機能させることができる。トランジスタ５２は、電荷
蓄積部（ＦＤ）の電位を初期化するリセットトランジスタとして機能させることができる
。トランジスタ５３は、電荷蓄積部（ＦＤ）の電位に応じた出力を行う増幅トランジスタ
として機能させることができる。トランジスタ５４は画素を選択する選択トランジスタと
して機能させることができる。
【００４７】
なお、図１（Ａ）において、各トランジスタはバックゲートを有する形態を例示している
が、図４２（Ａ）に示すように、バックゲートを有さない形態であってもよい。また、図
４２（Ｂ）に示すように、一部のトランジスタ、例えばトランジスタ５１のみにバックゲ
ートを有するような形態であってもよい。当該バックゲートは、対向して設けられるトラ
ンジスタのフロントゲートと電気的に接続する場合がある。または、当該バックゲートに
フロントゲートとは異なる固定電位が供給される場合がある。なお、当該バックゲート有
無に関する形態は、本実施の形態で説明する他の撮像装置の形態にも適用することができ
る。
【００４８】
トランジスタ５１乃至トランジスタ５４には、活性層を酸化物半導体で形成したトランジ
スタ（以下、ＯＳトランジスタ）を用いることができる。
【００４９】
ＯＳトランジスタは極めて低いオフ電流特性を有するため、撮像のダイナミックレンジを
拡大することができる。図１（Ｂ）に示す回路構成では、光電変換素子６０に入射される
光の強度が大きいときに電荷蓄積部（ＦＤ）の電位が小さくなる。例えば、トランジスタ
５３の低いオフ電流特性によって、ゲート電位（電荷蓄積部（ＦＤ）の電位）が極めて小
さい場合においても当該ゲート電位に応じた電流を正確に出力することができる。したが
って、検出することのできる照度のレンジ、すなわちダイナミックレンジを広げることが
できる。
【００５０】
また、トランジスタ５１およびトランジスタ５２の低いオフ電流特性によって電荷蓄積部
（ＦＤ）で電荷を保持できる期間を極めて長くすることができる。そのため、回路構成や
動作方法を複雑にすることなく、全画素で同時に電荷の蓄積動作を行うグローバルシャッ
タ方式を適用することができる。したがって、被写体が動体であっても歪の小さい画像を
容易に得ることができる。
【００５１】
また、ＯＳトランジスタは、チャネル領域にシリコンを用いたトランジスタ（以下、Ｓｉ
トランジスタ）よりも電気特性変動の温度依存性が小さいため、極めて広い温度範囲で使
用することができる。したがって、ＯＳトランジスタを有する撮像装置および半導体装置
は、自動車、航空機、宇宙機などへの搭載にも適している。
【００５２】
また、ＯＳトランジスタは、Ｓｉトランジスタよりもドレイン耐圧の高い特性を有するた
め、信頼性の高い撮像装置とすることができる。
【００５３】
ここで、撮像装置のダイナミックレンジをさらに広げるには、トランジスタ５３および電
流のパスとなるトランジスタ５４にオン電流がさらに高いトランジスタを用いることが好
ましい。また、電荷蓄積部（ＦＤ）で電荷を保持できる期間をさらに長くするには、トラ
ンジスタ５１およびトランジスタ５２にオフ電流がさらに低いトランジスタを用いること
が好ましい。
【００５４】
つまり、トランジスタ５１およびトランジスタ５２と、トランジスタ５３およびトランジ
スタ５４は、より最適な電気特性を有するように作り分けることが好ましい。
【００５５】
したがって、本発明の一態様では、図１（Ａ）に示すようにトランジスタ５１およびトラ
ンジスタ５２を有する層１１００と、トランジスタ５３およびトランジスタ５４を有する
層１２００とが重なる領域を有する配置とし、トランジスタを作り分ける。
【００５６】
全般的にトランジスタは、低いオフ電流と高いオン電流の両方を備える電気特性を有する
ことが好ましいが、オフ電流とオン電流はトレードオフの関係にあり、一般的にオフ電流
が低いトランジスタはオン電流も低く、オン電流が大きいトランジスタはオフ電流も大き
くなる。なお、オフ電流とはトランジスタを非導通状態としたときにソースとドレイン間
に流れる電流である。なお、オン電流とはトランジスタを導通状態としたときにソースと
ドレイン間に流れる電流である。
【００５７】
すなわち、本発明の一態様では、層１１００が有するトランジスタ５１およびトランジス
タ５２は、層１２００が有するトランジスタ５３およびトランジスタ５４よりもオフ電流
が低い電気特性を有する構成とする。また、層１２００が有するトランジスタ５３および
トランジスタ５４は、層１１００が有するトランジスタ５１およびトランジスタ５２より
もオン電流が高い電気特性を有する構成とする。
【００５８】
オフ電流の低いトランジスタを作製するには、例えば、活性層の酸化物半導体に原子数比
がＩｎ：Ｇａ：Ｚｎ＝１：１：１や１：３：２などの比較的バンドギャップの大きいＩｎ
−Ｇａ−Ｚｎ酸化物を用いることが好ましい。また、（１：３：２）／（１：１：１）／
（１：３：２）の酸化物半導体の積層構造としてもよい。また、当該積層構造のゲート電
極側の１：３：２の酸化物半導体を酸化ガリウムに置き換えてもよい。また、チャネル幅
を変化させる意味と同意で、酸化物半導体の膜厚を薄くすることが好ましい。また、ゲー
ト絶縁膜の膜厚を比較的厚くすることが好ましい。
【００５９】
オン電流の高いトランジスタを作製するには、例えば、活性層の酸化物半導体に原子数比
がＩｎ：Ｇａ：Ｚｎ＝３：１：２、２：１：３、４：１：４．１などの比較的バンドギャ
ップの小さいＩｎ−Ｇａ−Ｚｎ酸化物を用いることが好ましい。また、これらの酸化物半
導体をＩｎ：Ｇａ：Ｚｎ＝１：３：２などの酸化物半導体で挟んだ積層構造としてもよい
。また、酸化亜鉛やＩｎ−Ｓｎ−Ｚｎ酸化物などの酸化物半導体を用いてもよい。また、
チャネル幅を変化させる意味と同意で、酸化物半導体の膜厚を厚くすることが好ましい。
また、ゲート絶縁膜の膜厚を比較的薄くすることが好ましい。
【００６０】
以上をまとめると、相対的な条件として、層１１００が有するトランジスタ５１およびト
ランジスタ５２の活性層は、層１２００が有するトランジスタ５３およびトランジスタ５
４の活性層よりもバンドギャップが大きいことが好ましい。
【００６１】
また、相対的な条件として、層１１００が有するトランジスタ５１およびトランジスタ５
２の活性層の膜厚は、層１２００が有するトランジスタ５３およびトランジスタ５４の活
性層の膜厚よりも薄いことが好ましい。
【００６２】
また、相対的な条件として、層１１００が有するトランジスタ５１およびトランジスタ５
２のゲート絶縁膜の膜厚は、層１２００が有するトランジスタ５３およびトランジスタ５
４のゲート絶縁膜の膜厚よりも厚いことが好ましい。
【００６３】
このような構成とすることで、撮像性能の優れた撮像装置を形成することができる。
【００６４】
また、本発明の一態様の撮像装置は、図２（Ａ）に示す構成とすることができる。
【００６５】
図２（Ａ）に示す撮像装置は、トランジスタ５１、トランジスタ５２等を有する層１１０
０と、トランジスタ５３、トランジスタ５４等を有する層１２００と、光電変換素子６０
を有する層１３００と、シリコン基板４０に設けられたトランジスタ５５、トランジスタ
５６等を有する層１４００を備えている。上記各トランジスタおよび光電変換素子６０は
、絶縁層に埋め込まれた導電体８１を介して各配線と電気的な接続を有する形態とするこ
とができる。
【００６６】
図２（Ａ）において、層１３００に設けられる光電変換素子６０には、セレンを光電変換
層６１とする素子を例示しているが、図１（Ａ）に示したシリコン基板に形成したフォト
ダイオードを用いることもできる。
【００６７】
セレン系材料を光電変換層６１に用いた光電変換素子６０は、可視光に対する外部量子効
率が高い特性を有する。当該光電変換素子では、アバランシェ倍増により入射される光量
に対する電子の増幅が大きい高感度の光センサとすることができる。つまり、セレン系材
料を光電変換層６１に用いることで、画素面積が縮小しても十分な光電流を得ることがで
きる。また、光感度が大きいことから、セレン系材料を用いた光電変換素子ＰＤは、低照
度環境における撮像にも適しているといえる。また、セレン系材料は光吸収係数が高いた
め、光電変換層６１を薄くしやすい利点を有する。
【００６８】
セレン系材料としては、非晶質セレンまたは結晶セレンを用いることができる。結晶セレ
ンは、一例として、非晶質セレンを成膜後、熱処理することで得ることができる。なお、
結晶セレンの結晶粒径を画素ピッチより小さくすることで、画素ごとの特性ばらつきを低
減させることができる。また、結晶セレンは、非晶質セレンよりも可視光に対する分光感
度や光吸収係数が高い特性を有する。
【００６９】
なお、光電変換層６１は単層として図示しているが、セレン系材料の受光面側に正孔注入
阻止層として酸化ガリウムまたは酸化セリウムなどを設け、電極６６側に電子注入阻止層
として酸化ニッケルまたは硫化アンチモンなどを設ける構成とすることもできる。
【００７０】
また、光電変換層６１は、銅、インジウム、セレンの化合物（ＣＩＳ）を含む層であって
もよい。または、銅、インジウム、ガリウム、セレンの化合物（ＣＩＧＳ）を含む層であ
ってもよい。ＣＩＳおよびＣＩＧＳでは、セレンの単層と同様にアバランシェ倍増が利用
できる光電変換素子を形成することができる。
【００７１】
セレン系材料を用いた光電変換素子６０は、例えば、金属材料などで形成された電極６６
と透光性導電層６２との間に光電変換層６１を有する構成とすることができる。また、Ｃ
ＩＳおよびＣＩＧＳはｐ型半導体であり、接合を形成するためにｎ型半導体の硫化カドミ
ウムや硫化亜鉛等を接して設けてもよい。
【００７２】
アバランシェ現象を発生させるためには、光電変換素子に比較的高い電圧（例えば、１０
Ｖ以上）を印加することが好ましい。ＯＳトランジスタは、Ｓｉトランジスタよりもドレ
イン耐圧の高い特性を有するため、光電変換素子に比較的高い電圧を印加することが容易
である。したがって、ドレイン耐圧の高いＯＳトランジスタと、セレン系材料を光電変換
層とした光電変換素子とを組み合わせることで、高感度、かつ信頼性の高い撮像装置とす
ることができる。
【００７３】
なお、図２（Ａ）では、光電変換層６１および透光性導電層６２を画素回路間で分離しな
い構成としているが、図３（Ａ）に示すように回路間で分離する構成としてもよい。また
、画素間における電極６６を有さない領域には、絶縁体で隔壁６７を設け、光電変換層６
１および透光性導電層６２に亀裂が入らないようにすることが好ましいが、図３（Ｂ）に
示すように隔壁６７を設けない構成としてもよい。また、図３（Ｃ）、（Ｄ）に示すよう
に透光性導電層６２と配線７７が直接接する形態としてもよい。
【００７４】
また、電極６６および配線７７等は多層としてもよい。例えば、図４１（Ａ）に示すよう
に、電極６６を導電層６６ａ、６６ｂの二層とし、配線７７を導電層７７ａ、７７ｂの二
層とすることができる。図４１（Ａ）の構成においては、例えば、６６ａおよび７７ａを
低抵抗の金属等を選択して形成し、６６ｂおよび７７ｂを光電変換層６１とコンタクト特
性の良い金属等を選択して形成するとよい。このような構成とすることで、光電変換素子
の電気特性を向上させることができる。また、一部の金属は透光性導電層６２と接触する
ことにより電蝕を起こすことがある。そのような金属を導電層７７ａに用いた場合でも導
電層７７ｂを介することによって電蝕を防止することができる。
【００７５】
導電層６６ｂおよび導電層７７ｂには、例えば、モリブデンやタングステンなどを用いる
ことができる。また、導電層６６ａおよび導電層７７ａには、例えば、アルミニウム、チ
タン、またはアルミニウムをチタンで挟むような積層を用いることができる。
【００７６】
また、絶縁層４１が多層である構成であってもよい。例えば、図４１（Ｂ）に示すように
、絶縁層４１が絶縁層４１ａおよび絶縁層４１ｂを有し、かつ絶縁層４１ａと絶縁層４１
ｂとのエッチングレート等が異なる場合は、導電体８１は段差を有するようになる。層間
絶縁膜や平坦化膜に用いられるその他の絶縁層が多層である場合も同様に導電体８１は段
差を有するようになる。なお、ここでは絶縁層４１が２層である例を示したが、絶縁層４
１およびその他の絶縁層は３層以上の構成であってもよい。
【００７７】
また、光電変換素子６０には、非晶質シリコン膜や微結晶シリコン膜などを用いたｐｉｎ
型ダイオード素子などを用いてもよい。
【００７８】
例えば、図４は光電変換素子６０にｐｉｎ型の薄膜フォトダイオードを用いた例である。
当該フォトダイオードは、ｎ型の半導体層６５、ｉ型の半導体層６４、およびｐ型の半導
体層６３が順に積層された構成を有している。ｉ型の半導体層６４には非晶質シリコンを
用いることが好ましい。また、ｐ型の半導体層６３およびｎ型の半導体層６５には、それ
ぞれの導電型を付与するドーパントを含む非晶質シリコンまたは微結晶シリコンなどを用
いることができる。非晶質シリコンを光電変換層とするフォトダイオードは可視光の波長
領域における感度が高く、微弱な可視光を検知しやすい。
【００７９】
図４に示す光電変換素子６０では、カソードとして作用するｎ型の半導体層６５がトラン
ジスタ５１と電気的な接続を有する電極６６と電気的な接続を有する。また、アノードと
して作用するｐ型の半導体層６３が導電体８１を介して配線７７と電気的な接続を有する
。
【００８０】
なお、回路９１では、光電変換素子６０のアノードおよびカソードと、電極層および配線
との接続形態が図１（Ｂ）とは逆となる場合もある。
【００８１】
いずれの場合においても、ｐ型の半導体層６３が受光面となるように光電変換素子６０を
形成することが好ましい。ｐ型の半導体層６３を受光面とすることで、光電変換素子６０
の出力電流を高めることができる。
【００８２】
ｐｉｎ型の薄膜フォトダイオードの形態を有する光電変換素子６０の構成、ならびに光電
変換素子６０および配線の接続形態は、図５（Ａ）、（Ｂ）、（Ｃ）、（Ｄ）、（Ｅ）、
（Ｆ）に示す例であってもよい。なお、光電変換素子６０の構成、光電変換素子６０と配
線の接続形態はこれらに限定されず、他の形態であってもよい。
【００８３】
図５（Ａ）は、光電変換素子６０のｐ型の半導体層６３と接する透光性導電層６２を設け
た構成である。透光性導電層６２は電極として作用し、光電変換素子６０の出力電流を高
めることができる。
【００８４】
透光性導電層６２には、例えば、インジウム錫酸化物、シリコンを含むインジウム錫酸化
物、亜鉛を含む酸化インジウム、酸化亜鉛、ガリウムを含む酸化亜鉛、アルミニウムを含
む酸化亜鉛、酸化錫、フッ素を含む酸化錫、アンチモンを含む酸化錫、またはグラフェン
等を用いることができる。また、透光性導電層６２は単層に限らず、異なる膜の積層であ
っても良い。
【００８５】
図５（Ｂ）は、光電変換素子６０のｐ型の半導体層６３と配線７８が電気的な接続を直接
有する構成である。
【００８６】
図５（Ｃ）は、光電変換素子６０のｐ型の半導体層６３と接する透光性導電層６２が設け
られ、配線７８と透光性導電層６２が電気的な接続を有する構成である。
【００８７】
図５（Ｄ）は、光電変換素子６０を覆う絶縁層にｐ型の半導体層６３が露出する開口部が
設けられ、当該開口部を覆う透光性導電層６２と配線７８が電気的な接続を有する構成で
ある。
【００８８】
図５（Ｅ）は、光電変換素子６０を貫通する導電体８１が設けられた構成である。当該構
成では、配線７７は導電体８１を介してｐ型の半導体層６３と電気的に接続される。なお
、図面上では、配線７７と電極６６とは、ｎ型の半導体層６５を介して見かけ上導通して
しまう形態を示している。しかしながら、ｎ型の半導体層６５の横方向の抵抗が高いため
、配線７７と上記電極との間に適切な間隔を設ければ、両者間は極めて高抵抗となる。し
たがって、光電変換素子６０は、アノードとカソードが短絡することなく、ダイオード特
性を有することができる。なお、ｐ型の半導体層６３と電気的に接続される導電体８１は
複数であってもよい。
【００８９】
図５（Ｆ）は、図５（Ｅ）の光電変換素子６０に対して、ｐ型の半導体層６３と接する透
光性導電層６２を設けた構成である。
【００９０】
なお、図５（Ｄ）、図５（Ｅ）、および図５（Ｆ）に示す光電変換素子６０では、受光領
域と配線等が重ならないため、広い受光面積を確保できる利点を有する。
【００９１】
上述したセレン系材料や非晶質シリコンなどを用いて形成した光電変換素子６０は、成膜
工程、リソグラフィ工程、エッチング工程などの一般的な半導体作製工程を用いて作製す
ることができる。また、セレン系材料は高抵抗であり、図２（Ａ）に示すように、光電変
換層６１を回路間で分離しない構成とすることもできる。したがって、本発明の一態様の
撮像装置は、歩留りが高く、低コストで作製することができる。一方で、結晶性シリコン
を光電変換層６１とするフォトダイオードを形成する場合は、研磨工程や貼り合わせ工程
などの難度の高い工程が必要となる。
【００９２】
また、図２（Ａ）および図４に示す撮像装置では、シリコン基板４０に活性領域を有する
トランジスタ５５およびトランジスタ５６が設けられた層１４００が層１１００乃至層１
３００に形成される画素回路と重なる構成とすることができる。
【００９３】
シリコン基板４０に形成された回路は、画素回路が出力する信号を読み出す機能や当該信
号を変換する処理などを行う機能を有することができ、例えば、図２（Ｂ）に示す回路９
２のようなＣＭＯＳインバータを含む構成とすることができる。トランジスタ５５（ｎ−
ｃｈ型）およびトランジスタ５６（ｐ−ｃｈ型）のゲートは電気的に接続される。また、
一方のトランジスタのソースまたはドレインの一方は、他方のトランジスタのソースまた
はドレインの一方と電気的に接続される。また、両方のトランジスタのソースまたはドレ
インの他方はそれぞれ別の配線に電気的に接続される。
【００９４】
また、シリコン基板４０はバルクのシリコン基板に限らず、ゲルマニウム、シリコンゲル
マニウム、炭化シリコン、ガリウムヒ素、アルミニウムガリウムヒ素、インジウムリン、
窒化ガリウム、有機半導体を材料とする基板を用いることもできる。
【００９５】
また、トランジスタ５５およびトランジスタ５６は、図２（Ｃ）に示すように、シリコン
薄膜の活性層５８を有するトランジスタであってもよい。また、活性層５８は、多結晶シ
リコンやＳＯＩ（Ｓｉｌｉｃｏｎ  ｏｎ  Ｉｎｓｕｌａｔｏｒ）の単結晶シリコンとする
ことができる。
【００９６】
ここで、図１（Ａ）、図２（Ａ）、図４などに示すように、酸化物半導体を有するトラン
ジスタが形成される領域と、Ｓｉトランジスタ（図１ではＳｉフォトダイオード）が形成
される領域との間には絶縁層８０が設けられる。
【００９７】
例えば、トランジスタ５５およびトランジスタ５６の活性領域近傍に設けられる絶縁層中
の水素はシリコンのダングリングボンドを終端する。したがって、当該水素はトランジス
タ５５およびトランジスタ５６の信頼性を向上させる効果がある。一方、トランジスタ５
３等の活性層である酸化物半導体層の近傍に設けられる絶縁層中の水素は、酸化物半導体
中にキャリアを生成する要因の一つとなる。そのため、当該水素はトランジスタ５３等の
信頼性を低下させる要因となる場合がある。したがって、シリコン系半導体材料を用いた
トランジスタを有する一方の層と、酸化物半導体を用いたトランジスタを有する他方の層
を積層する場合、これらの間に水素の拡散を防止する機能を有する絶縁層８０を設けるこ
とが好ましい。絶縁層８０により、一方の層に水素を閉じ込めることでトランジスタ５５
およびトランジスタ５６の信頼性が向上することができる。また、一方の層から他方の層
への水素の拡散が抑制されることでトランジスタ５３等の信頼性も向上させることができ
る。
【００９８】
絶縁層８０としては、例えば、酸化アルミニウム、酸化窒化アルミニウム、酸化ガリウム
、酸化窒化ガリウム、酸化イットリウム、酸化窒化イットリウム、酸化ハフニウム、酸化
窒化ハフニウム、イットリア安定化ジルコニア（ＹＳＺ）等を用いることができる。
【００９９】
なお、図２（Ａ）および図４に示すような構成では、シリコン基板４０に形成される回路
（例えば、駆動回路）と、トランジスタ５１等と、光電変換素子６０とを重なるように形
成することができるため、画素の集積度を高めることができる。すなわち、撮像装置の解
像度を高めることができる。例えば、画素数が４Ｋ２Ｋ、８Ｋ４Ｋまたは１６Ｋ８Ｋなど
の撮像装置に用いることが適する。
【０１００】
また、図２（Ａ）および図４に示す撮像装置は、シリコン基板４０には光電変換素子を設
けない構成である。したがって、各種トランジスタや配線などの影響を受けずに光電変換
素子６０に対する光路を確保することができ、高開口率の画素を形成することができる。
【０１０１】
なお、図２（Ａ）および図４に示す撮像装置は、図２（Ａ）、図４および図８（Ｃ）に示
すように、高さ方向に、層１３００、層１１００、層１２００、層１４００の順序で配置
することができる。また、図８（Ｄ）に示すように、高さ方向に、層１３００、層１２０
０、層１１００、層１４００の順序で配置することもできる。また、上記以外の層が当該
積層構造に含まれる場合もある。また、上記の一部の層が含まれない場合もある。
【０１０２】
また、本発明の一態様の撮像装置は、図６に示す構成とすることができる。
【０１０３】
図６に示す撮像装置は、図２（Ａ）に示す撮像装置の変形例であり、ＯＳトランジスタお
よびＳｉトランジスタでＣＭＯＳインバータを構成する例を図示している。
【０１０４】
ここで、層１４００に設けるＳｉトランジスタであるトランジスタ５６はｐ−ｃｈ型とし
、層１５００に設けるＯＳトランジスタであるトランジスタ５５はｎ−ｃｈ型とする。ｐ
−ｃｈ型トランジスタのみをシリコン基板４０に設けることで、ウェル形成やｎ型不純物
層形成などの工程を省くことができる。
【０１０５】
層１５００に設けるトランジスタ５５は、オン電流が高いことが好ましく、層１２００に
設けるトランジスタと同様の構成を用いることができる。
【０１０６】
なお、図６に示す撮像装置は、光電変換素子６０にセレンを用いた例を示したが、図４と
同様にｐｉｎ型の薄膜フォトダイオードを用いた構成としてもよい。
【０１０７】
また、図６に示す撮像装置は、図６および図８（Ｅ）に示すように、高さ方向に、層１３
００、層１１００、層１２００、層１５００、層１４００の順序で配置することができる
。また、図８（Ｆ）に示すように、高さ方向に、層１３００、層１２００、層１１００、
層１５００、層１４００の順序で配置することもできる。また、上記以外の層が当該積層
構造に含まれる場合もある。また、上記の一部の層が含まれない場合もある。
【０１０８】
また、本発明の一態様の撮像装置は、図７に示す構成とすることができる。
【０１０９】
図７に示す撮像装置は、図６に示す撮像装置と同様にＯＳトランジスタおよびＳｉトラン
ジスタでＣＭＯＳインバータを構成する例であるが、トランジスタ５５を層１２００に形
成し、層１５００を省いている点が図６の撮像装置とは異なる。
【０１１０】
図７に示す撮像装置において、トランジスタ５５は、層１２００に形成するトランジスタ
５３およびトランジスタ５４と同一の工程で作製することができる。したがって、撮像装
置の製造工程を簡略化することができる。
【０１１１】
なお、層１２００に設けるトランジスタ５５は、トランジスタ５３およびトランジスタ５
４と同様にオン電流が高いトランジスタとして形成されるため、ＣＭＯＳインバータ回路
の構成要素として十分な特性を有する。
【０１１２】
図７に示す撮像装置は、図７および図８（Ｃ）に示すように、高さ方向に、層１３００、
層１１００、層１２００、層１４００の順序で配置することができる。また、図８（Ｄ）
に示すように、高さ方向に、層１３００、層１２００、層１１００、層１４００の順序で
配置することもできる。また、上記以外の層が当該積層構造に含まれる場合もある。また
、上記の一部の層が含まれない場合もある。
【０１１３】
なお、本実施の形態における撮像装置が有するトランジスタおよび光電変換素子の構成は
一例である。したがって、例えば、トランジスタ５１乃至トランジスタ５４のいずれか一
つ以上を活性領域または活性層にシリコン等を有するトランジスタで構成することもでき
る。また、トランジスタ５５およびトランジスタ５６の両方を活性層に酸化物半導体層を
有するトランジスタで構成することもできる。
【０１１４】
本発明の一態様の撮像装置は、一つの回路を積層構造とし、当該回路に含まれるトランジ
スタ等が互いに重なる領域を有する構成であるため、撮像装置を小型化することができる
。また、画素回路が出力する信号を読み出す機能や当該信号を変換する処理などを行う機
能を有する回路が画素回路と重なる領域を有する構成とすることもでき、さらに撮像装置
の小型化を助長することもできる。
【０１１５】
図９（Ａ）は、図１乃至図８で説明した撮像装置にカラーフィルタ等を付加した形態の一
例の断面図である。当該断面図は、３画素分の画素回路を有する領域の一部を示している
。光電変換素子６０が形成される層１３００上には、絶縁層２５００が形成される。絶縁
層２５００は可視光に対して透光性の高い酸化シリコン膜などを用いることができる。ま
た、パッシベーション膜として窒化シリコン膜を積層する構成としてもよい。また、反射
防止膜として、酸化ハフニウムなどの誘電体膜を積層する構成としてもよい。
【０１１６】
絶縁層２５００上には、遮光層２５１０が形成されてもよい。遮光層２５１０は、上部の
カラーフィルタを通る光の混色を防止する機能を有する。遮光層２５１０には、アルミニ
ウム、タングステンなどの金属層や当該金属層と反射防止膜としての機能を有する誘電体
膜を積層する構成とすることができる。
【０１１７】
絶縁層２５００および遮光層２５１０上には平坦化膜として有機樹脂層２５２０を設ける
構成とすることができる。また、画素別にカラーフィルタ２５３０が形成される。例えば
、カラーフィルタ２５３０ａ、カラーフィルタ２５３０ｂおよびカラーフィルタ２５３０
ｃに、Ｒ（赤）、Ｇ（緑）、Ｂ（青）、Ｙ（黄）、Ｃ（シアン）、Ｍ（マゼンタ）などの
色を割り当てることにより、カラー画像を得ることができる。
【０１１８】
カラーフィルタ２５３０ａ、カラーフィルタ２５３０ｂおよびカラーフィルタ２５３０ｃ
上には、マイクロレンズアレイ２５４０が設けられる。したがって、マイクロレンズアレ
イ２５４０が有する個々のレンズを通る光が直下のカラーフィルタを通り、光電変換素子
に照射されるようになる。なお、図９（Ｂ）に示すように、マイクロレンズアレイ２５４
０を設けない構成とすることもできる。この場合、カラーフィルタ上には、透光性を有す
る絶縁層２５６０などを設けることができる。
【０１１９】
また、図９（Ｃ）に示すように、カラーフィルタ２５３０ａ、カラーフィルタ２５３０ｂ
およびカラーフィルタ２５３０ｃの代わりに光学変換層２５５０を用いてもよい。このよ
うな構成とすることで、様々な波長領域における画像が得られる撮像装置とすることがで
きる。また、図９（Ｃ）に示す撮像装置は、図９（Ｂ）の構成と同様に、マイクロレンズ
アレイ２５４０を設けない構成とすることもできる。
【０１２０】
例えば、光学変換層２５５０に可視光線の波長以下の光を遮るフィルタを用いれば赤外線
撮像装置とすることができる。また、光学変換層２５５０に近赤外線の波長以下の光を遮
るフィルタを用いれば遠赤外線撮像装置とすることができる。また、光学変換層２５５０
に可視光線の波長以上の光を遮るフィルタを用いれば紫外線撮像装置とすることができる
。
【０１２１】
また、光学変換層２５５０にシンチレータを用いれば、Ｘ線撮像装置などに用いる、放射
線の強弱を可視化した画像を得る撮像装置とすることができる。被写体を透過したＸ線等
の放射線がシンチレータに入射されると、フォトルミネッセンスと呼ばれる現象により可
視光線や紫外光線などの光（蛍光）に変換される。そして、当該光を光電変換素子６０で
検知することにより画像データを取得する。また、放射線検出器などに当該構成の撮像装
置を用いてもよい。
【０１２２】
シンチレータは、Ｘ線やガンマ線などの放射線が照射されると、そのエネルギーを吸収し
て可視光や紫外光を発する物質、または当該物質を含む材料からなる。例えば、Ｇｄ２Ｏ
２Ｓ：Ｔｂ、Ｇｄ２Ｏ２Ｓ：Ｐｒ、Ｇｄ２Ｏ２Ｓ：Ｅｕ、ＢａＦＣｌ：Ｅｕ、ＮａＩ、Ｃ
ｓＩ、ＣａＦ２、ＢａＦ２、ＣｅＦ３、ＬｉＦ、ＬｉＩ、ＺｎＯなどの材料や、それらを
樹脂やセラミクスに分散させたものを用いることができる。
【０１２３】
なお、セレン系材料を用いた光電変換素子６０においては、Ｘ線等の放射線を電荷に直接
変換することができるため、シンチレータを不要とする構成とすることもできる。
【０１２４】
また、図９（Ａ）、（Ｂ）、（Ｃ）に示す層１３００以外の領域を層１６００とすると、
図１乃至図８に示した撮像装置の構成との組み合わせは図１０（Ａ）乃至図１０（Ｆ）と
することができる。
【０１２５】
具体的に、図１０（Ａ）に示す撮像装置の構成は、図４３に示すようになる。また、図１
０（Ｃ）に示す構成は、図４４に示すようになる。
【０１２６】
また、撮像装置は、図１１（Ａ１）および図１１（Ｂ１）に示すように湾曲させてもよい
。図１１（Ａ１）は、撮像装置を同図中の二点鎖線Ｘ１−Ｘ２の方向に湾曲させた状態を
示している。図１１（Ａ２）は、図１１（Ａ１）中の二点鎖線Ｘ１−Ｘ２で示した部位の
断面図である。図１１（Ａ３）は、図１１（Ａ１）中の二点鎖線Ｙ１−Ｙ２で示した部位
の断面図である。
【０１２７】
図１１（Ｂ１）は、撮像装置を同図中の二点鎖線Ｘ３−Ｘ４の方向に湾曲させ、かつ、同
図中の二点鎖線Ｙ３−Ｙ４の方向に湾曲させた状態を示している。図１１（Ｂ２）は、図
１１（Ｂ１）中の二点鎖線Ｘ３−Ｘ４で示した部位の断面図である。図１１（Ｂ３）は、
図１１（Ｂ１）中の二点鎖線Ｙ３−Ｙ４で示した部位の断面図である。
【０１２８】
撮像装置を湾曲させることで、像面湾曲や非点収差を低減することができる。よって、撮
像装置と組み合わせて用いるレンズなどの光学設計を容易とすることができる。例えば、
収差補正のためのレンズ枚数を低減できるため、撮像装置を用いた半導体装置などの小型
化や軽量化を容易とすることができる。また、撮像された画像の品質を向上させる事がで
きる。
【０１２９】
なお、本実施の形態において、本発明の一態様について述べた。または、他の実施の形態
において、本発明の一態様について述べる。ただし、本発明の一態様は、これらに限定さ
れない。例えば、本発明の一態様として、撮像装置に適用した場合の例を示したが、本発
明の一態様は、これに限定されない。場合によっては、または、状況に応じて、本発明の
一態様は、撮像装置に適用しなくてもよい。例えば、本発明の一態様は、別の機能を有す
る半導体装置に適用してもよい。
【０１３０】
本実施の形態は、他の実施の形態に記載した構成と適宜組み合わせて実施することが可能
である。
【０１３１】
（実施の形態２）
本実施の形態では、実施の形態１で説明した画素回路について説明する。
【０１３２】
図１（Ｂ）に示す画素回路（回路９１）および各配線との接続形態の詳細を図１２（Ａ）
に示す。図１２（Ａ）に示す回路は、光電変換素子６０、トランジスタ５１、トランジス
タ５２、トランジスタ５３、およびトランジスタ５４を含んだ構成となっている。
【０１３３】
光電変換素子６０のアノードは配線３１６に接続され、カソードはトランジスタ５１のソ
ースまたはドレインの一方と接続される。トランジスタ５１のソースまたはドレインの他
方は電荷蓄積部（ＦＤ）と接続され、ゲートは配線３１２（ＴＸ）と接続される。トラン
ジスタ５２のソースまたはドレインの一方は電荷蓄積部（ＦＤ）と接続され、ソースまた
はドレインの他方は配線３１７と接続され、ゲートは配線３１１（ＲＳ）と接続される。
トランジスタ５３のソースまたはドレインの一方は配線３１４（ＧＮＤ）と接続され、ソ
ースまたはドレインの他方はトランジスタ５４のソースまたはドレインの一方と接続され
、ゲートは電荷蓄積部（ＦＤ）と接続される。トランジスタ５４のソースまたはドレイン
の他方は配線３１５（ＯＵＴ）と接続され、ゲートは配線３１３（ＳＥ）に接続される。
なお、上記接続は全て電気的な接続とする。
【０１３４】
なお、配線３１４には、ＧＮＤ、ＶＳＳ、ＶＤＤなどの電位が供給されていてもよい。こ
こで、電位や電圧は相対的なものである。そのため、ＧＮＤの電位の大きさは、必ずしも
、０ボルトであるとは限らないものとする。
【０１３５】
光電変換素子６０は受光素子であり、画素回路に入射した光に応じた電流を生成する機能
を有する。トランジスタ５１は、光電変換素子６０による電荷蓄積部（ＦＤ）への電荷蓄
積を制御する機能を有する。トランジスタ５２は、電荷蓄積部（ＦＤ）の電位のリセット
する機能を有する。トランジスタ５３は、電荷蓄積部（ＦＤ）の電位に応じた信号を出力
する機能を有する。トランジスタ５４は、読み出し時に画素回路の選択を制御する機能を
有する。
【０１３６】
なお、電荷蓄積部（ＦＤ）は、電荷保持ノードであり、光電変換素子６０が受ける光の量
に応じて変化する電荷を保持する。
【０１３７】
なお、トランジスタ５３とトランジスタ５４とは、配線３１５と配線３１４との間で、直
列接続されていればよい。したがって、配線３１４、トランジスタ５３、トランジスタ５
４、配線３１５の順で並んでもよいし、配線３１４、トランジスタ５４、トランジスタ５
３、配線３１５の順で並んでもよい。
【０１３８】
配線３１１（ＲＳ）は、トランジスタ５２を制御するための信号線としての機能を有する
。配線３１２（ＴＸ）は、トランジスタ５１を制御するための信号線としての機能を有す
る。配線３１３（ＳＥ）は、トランジスタ５４を制御するための信号線としての機能を有
する。配線３１４（ＧＮＤ）は、基準電位（例えばＧＮＤ）を設定する信号線としての機
能を有する。配線３１５（ＯＵＴ）は、トランジスタ５３から出力される信号を読み出す
ための信号線としての機能を有する。配線３１６は電荷蓄積部（ＦＤ）から光電変換素子
６０を介して電荷を出力するための信号線としての機能を有し、図１２（Ａ）の回路にお
いては低電位線である。また、配線３１７は電荷蓄積部（ＦＤ）の電位をリセットするた
めの信号線としての機能を有し、図１２（Ａ）の回路においては高電位線である。
【０１３９】
ここで、図１（Ｂ）に示す配線との関係は次の通りである。配線７６は配線３１１（ＲＳ
）に相当する。配線７５は配線３１２（ＴＸ）に相当する。配線７４は配線３１３（ＳＥ
）に相当する。配線７１は配線３１４（ＧＮＤ）に相当する。配線７３は配線３１５（Ｏ
ＵＴ）に相当する。配線７７は配線３１６に相当する。配線７２は配線３１７に相当する
。
【０１４０】
また、本発明の一態様の画素回路は、図１２（Ｂ）に示す構成であってもよい。図１２（
Ｂ）に示す回路は、図１２（Ａ）に示す回路と構成要素は同じであるが、光電変換素子６
０のアノードがトランジスタ５２のソースまたはドレインの一方と電気的に接続され、光
電変換素子６０のカソードが配線３１６と電気的に接続される点で異なる。この場合、配
線３１６は光電変換素子６０を介して電荷蓄積部（ＦＤ）に電荷を供給するための信号線
としての機能を有し、図１２（Ｂ）の回路においては高電位線となる。また、配線３１７
は低電位線となる。
【０１４１】
次に、図１２（Ａ）、（Ｂ）に示す各素子の構成について説明する。
【０１４２】
光電変換素子６０には、実施の形態１で説明したように、セレン系材料と導電層で構成さ
れた素子や、シリコン層によってｐｉｎ型の接合が形成された素子を用いることができる
。
【０１４３】
トランジスタ５１、トランジスタ５２、トランジスタ５３、およびトランジスタ５４は、
非晶質シリコン、微結晶シリコン、多結晶シリコン、単結晶シリコンなどのシリコン半導
体を用いて形成することも可能であるが、酸化物半導体を用いたトランジスタで形成する
ことが好ましい。酸化物半導体でチャネル形成領域を形成したトランジスタは、極めてオ
フ電流が低い特性を示す特徴を有している。
【０１４４】
特に、電荷蓄積部（ＦＤ）と接続されているトランジスタ５１およびトランジスタ５２の
リーク電流が大きいと、電荷蓄積部（ＦＤ）に蓄積された電荷が保持できる時間が十分で
なくなる。したがって、少なくとも当該二つのトランジスタに酸化物半導体を用いたトラ
ンジスタを使用することで、電荷蓄積部（ＦＤ）からの不要な電荷の流出を防止すること
ができる。
【０１４５】
また、トランジスタ５３およびトランジスタ５４においても、リーク電流が大きいと、配
線３１４または配線３１５に不必要な電荷の出力が起こるため、これらのトランジスタと
して、酸化物半導体でチャネル形成領域を形成したトランジスタを用いることが好ましい
。
【０１４６】
図１２（Ａ）の回路の動作の一例について図１３（Ａ）に示すタイミングチャートを用い
て説明する。
【０１４７】
図１３（Ａ）では簡易に説明するため、各配線の電位は、二値変化する信号として与える
。ただし、各電位はアナログ信号であるため、実際には状況に応じて二値に限らず種々の
値を取り得る。なお、図に示す信号７０１は配線３１１（ＲＳ）の電位、信号７０２は配
線３１２（ＴＸ）の電位、信号７０３は配線３１３（ＳＥ）の電位、信号７０４は電荷蓄
積部（ＦＤ）の電位、信号７０５は配線３１５（ＯＵＴ）の電位に相当する。なお、配線
３１６の電位は常時”Ｌｏｗ”、配線３１７の電位は常時”Ｈｉｇｈ”とする。
【０１４８】
時刻Ａにおいて、配線３１１の電位（信号７０１）を”Ｈｉｇｈ”、配線３１２の電位（
信号７０２）を”Ｈｉｇｈ”とすると、電荷蓄積部（ＦＤ）の電位（信号７０４）は配線
３１７の電位（”Ｈｉｇｈ”）に初期化され、リセット動作が開始される。なお、配線３
１５の電位（信号７０５）は、”Ｈｉｇｈ”にプリチャージしておく。
【０１４９】
時刻Ｂにおいて、配線３１１の電位（信号７０１）を”Ｌｏｗ”とするとリセット動作が
終了し、蓄積動作が開始される。ここで、光電変換素子６０には逆方向バイアスが印加さ
れるため、逆方向電流により、電荷蓄積部（ＦＤ）（信号７０４）の電位が低下し始める
。光電変換素子６０は、光が照射されると逆方向電流が増大するので、照射される光の量
に応じて電荷蓄積部（ＦＤ）の電位（信号７０４）の低下速度は変化する。すなわち、光
電変換素子６０に照射する光の量に応じて、トランジスタ５３のソースとドレイン間のチ
ャネル抵抗が変化する。
【０１５０】
時刻Ｃにおいて、配線３１２の電位（信号７０２）を”Ｌｏｗ”とすると蓄積動作が終了
し、電荷蓄積部（ＦＤ）の電位（信号７０４）は一定となる。ここで、当該電位は、蓄積
動作中に光電変換素子６０が生成した電荷量により決まる。すなわち、光電変換素子に照
射されていた光の量に応じて変化する。また、トランジスタ５１およびトランジスタ５２
は、酸化膜半導体層でチャネル形成領域を形成したオフ電流が極めて低いトランジスタで
構成されているため、後の選択動作（読み出し動作）を行うまで、電荷蓄積部（ＦＤ）の
電位を一定に保つことが可能である。
【０１５１】
なお、配線３１２の電位（信号７０２）を”Ｌｏｗ”とする際に、配線３１２と電荷蓄積
部（ＦＤ）との間における寄生容量により、電荷蓄積部（ＦＤ）の電位に変化が生じるこ
とがある。当該電位の変化量が大きい場合は、蓄積動作中に光電変換素子６０が生成した
電荷量を正確に取得できないことになる。当該電位の変化量を低減するには、トランジス
タ５１のゲート−ソース（もしくはゲート−ドレイン）間容量を低減する、トランジスタ
５３のゲート容量を増大する、電荷蓄積部（ＦＤ）に保持容量を設ける、などの対策が有
効である。なお、本実施の形態では、これらの対策により当該電位の変化を無視できるも
のとしている。
【０１５２】
時刻Ｄに、配線３１３の電位（信号７０３）を”Ｈｉｇｈ”にすると、トランジスタ５４
が導通して選択動作が開始され、配線３１４と配線３１５が、トランジスタ５３とトラン
ジスタ５４とを介して導通する。そして、配線３１５の電位（信号７０５）は、低下して
いく。なお、配線３１５のプリチャージは、時刻Ｄ以前に終了しておけばよい。ここで、
配線３１５の電位（信号７０５）が低下する速さは、トランジスタ５３のソースとドレイ
ン間の電流に依存する。すなわち、蓄積動作中に光電変換素子６０に照射されている光の
量に応じて変化する。
【０１５３】
時刻Ｅにおいて、配線３１３の電位（信号７０３）を”Ｌｏｗ”にすると、トランジスタ
５４が遮断されて選択動作は終了し、配線３１５の電位（信号７０５）は、一定値となる
。ここで、一定値となる値は、光電変換素子６０に照射されていた光の量に応じて変化す
る。したがって、配線３１５の電位を取得することで、蓄積動作中に光電変換素子６０に
照射されていた光の量を知ることができる。
【０１５４】
より具体的には、光電変換素子６０に照射されている光が強いと、電荷蓄積部（ＦＤ）の
電位、すなわちトランジスタ５３のゲート電圧は低下する。そのため、トランジスタ５４
のソース−ドレイン間に流れる電流は小さくなり、配線３１５の電位（信号７０５）はゆ
っくりと低下する。したがって、配線３１５からは比較的高い電位を読み出すことができ
る。
【０１５５】
逆に、光電変換素子６０に照射されている光が弱いと、電荷蓄積部（ＦＤ）の電位、すな
わち、トランジスタ５４のゲート電圧は高くなる。そのため、トランジスタ５３のソース
−ドレイン間に流れる電流は大きくなり、配線３１５の電位（信号７０５）は速く低下す
る。したがって、配線３１５からは比較的低い電位を読み出すことができる。
【０１５６】
次に、図１２（Ｂ）の回路の動作の例について図１３（Ｂ）に示すタイミングチャートを
用いて説明する。なお、配線３１６の電位は常時”Ｈｉｇｈ”、配線３１７の電位は常時
”Ｌｏｗ”とする。
【０１５７】
時刻Ａにおいて、配線３１１の電位（信号７０１）を”Ｈｉｇｈ”、配線３１２の電位（
信号７０２）を”Ｈｉｇｈ”とすると、電荷蓄積部（ＦＤ）の電位（信号７０４）は配線
３１７の電位（”Ｌｏｗ”）に初期化され、リセット動作が開始される。なお、配線３１
５の電位（信号７０５）は、”Ｈｉｇｈ”にプリチャージしておく。
【０１５８】
時刻Ｂにおいて、配線３１１の電位（信号７０１）を”Ｌｏｗ”とするとリセット動作が
終了し、蓄積動作が開始される。ここで、光電変換素子６０には逆方向バイアスが印加さ
れるため、逆方向電流により、電荷蓄積部（ＦＤ）の電位（信号７０４）が上昇し始める
。
【０１５９】
時刻Ｃ以降の動作は、図１３（Ａ）のタイミングチャートの説明を参照することができ、
時刻Ｅにおいて、配線３１５の電位を取得することで、蓄積動作中に光電変換素子６０に
照射されていた光の量を知ることができる。
【０１６０】
なお、図１２（Ａ）に示す画素回路は、図１７に示すようにトランジスタ５２乃至トラン
ジスタ５４を複数の画素で共用する形態としてもよい。図１７は垂直方向の複数の画素で
トランジスタ５２乃至トランジスタ５４を共用する構成を例示しているが、水平方向また
は水平垂直方向の複数の画素でトランジスタ５２乃至トランジスタ５７を共用してもよい
。このような構成とすることで、一画素あたりが有するトランジスタ数を削減させること
ができる。なお、図１７ではトランジスタ５２乃至トランジスタ５４が４画素で共用され
る形態を図示しているが、２画素、３画素または５画素以上であってもよい。また、図１
２（Ｂ）に示す画素回路においても同様な構成とすることができる。
【０１６１】
また、本発明の一態様の画素回路は、図１４（Ａ）、（Ｂ）に示す構成であってもよい。
【０１６２】
図１４（Ａ）に示す回路は、図１２（Ａ）に示す回路の構成からトランジスタ５２、配線
３１６および配線３１７を省いた構成であり、配線３１１（ＲＳ）は光電変換素子６０の
アノードに電気的に接続される。その他の構成は、図１２（Ａ）に示す回路と同じである
。
【０１６３】
図１４（Ｂ）に示す回路は、図１４（Ａ）に示す回路と構成要素は同じであるが、光電変
換素子６０のアノードがトランジスタ５１のソースまたはドレインの一方と電気的に接続
され、光電変換素子６０のカソードが配線３１１（ＲＳ）と電気的に接続される点で異な
る。
【０１６４】
図１４（Ａ）の回路は図１２（Ａ）の回路と同様に、図１３（Ａ）に示すタイミングチャ
ートで動作させることができる。
【０１６５】
時刻Ａにおいて、配線３１１の電位（信号７０１）を”Ｈｉｇｈ”、配線３１２の電位（
信号７０２）を”Ｈｉｇｈ”とすると、光電変換素子６０に順方向バイアスが印加され、
電荷蓄積部（ＦＤ）の電位（信号７０４）が”Ｈｉｇｈ”となる。すなわち、電荷蓄積部
（ＦＤ）の電位は配線３１１（ＲＳ）の電位（”Ｈｉｇｈ”）に初期化され、リセット状
態となる。以上がリセット動作の開始である。なお、配線３１５の電位（信号７０５）は
、”Ｈｉｇｈ”にプリチャージしておく。
【０１６６】
時刻Ｂにおいて、配線３１１の電位（信号７０１）を”Ｌｏｗ”とするとリセット動作が
終了し、蓄積動作が開始される。ここで、光電変換素子６０には逆方向バイアスが印加さ
れるため、逆方向電流により、電荷蓄積部（ＦＤ）の電位（信号７０４）が低下し始める
。
【０１６７】
時刻Ｃ以降の動作は、図１２（Ａ）の回路動作の説明を参照することができ、時刻Ｅにお
いて、配線３１５の電位を取得することで、蓄積動作中に光電変換素子６０に照射されて
いた光の量を知ることができる。
【０１６８】
図１４（Ｂ）の回路は、図１３（Ｃ）に示すタイミングチャートで動作させることができ
る。
【０１６９】
時刻Ａにおいて、配線３１１の電位（信号７０１）を”Ｌｏｗ”、配線３１２の電位（信
号７０２）を”Ｈｉｇｈ”とすると、光電変換素子６０に順方向バイアスが印加され、電
荷蓄積部（ＦＤ）の電位（信号７０４）が”Ｌｏｗ”のリセット状態となる。以上がリセ
ット動作の開始である。なお、配線３１５の電位（信号７０５）は、”Ｈｉｇｈ”にプリ
チャージしておく。
【０１７０】
時刻Ｂにおいて、配線３１１の電位（信号７０１）を”Ｈｉｇｈ”とするとリセット動作
が終了し、蓄積動作が開始される。ここで、光電変換素子６０には逆方向バイアスが印加
されるため、逆方向電流により、電荷蓄積部（ＦＤ）の電位（信号７０４）が上昇し始め
る。
【０１７１】
時刻Ｃ以降の動作は、図１２（Ａ）の回路動作の説明を参照することができ、時刻Ｅにお
いて、配線３１５の電位を取得することで、蓄積動作中に光電変換素子６０に照射されて
いた光の量を知ることができる。
【０１７２】
なお、図１４（Ａ）に示す画素回路は、図１８に示すようにトランジスタ５３およびトラ
ンジスタ５４を複数の画素で共用する形態としてもよい。図１８は垂直方向の複数の画素
でトランジスタ５３およびトランジスタ５４を共用する構成を例示しているが、水平方向
または水平垂直方向の複数の画素でトランジスタ５３およびトランジスタ５４を共用して
もよい。なお、図１８ではトランジスタ５３およびトランジスタ５４が４画素で共用され
る形態を図示しているが、２画素、３画素または５画素以上であってもよい。また、図１
４（Ｂ）に示す画素回路においても同様な構成とすることができる。
【０１７３】
また、図１２（Ａ）、（Ｂ）および図１４（Ａ）、（Ｂ）では、トランジスタ５１が設け
られている場合の例を示したが、本発明の一態様は、これに限定されない。図１５（Ａ）
、（Ｂ）に示すように、トランジスタ５１を省くことも可能である。
【０１７４】
また、画素回路に用いるトランジスタは、図１６（Ａ）または図１６（Ｂ）に示すように
、トランジスタ５１、トランジスタ５３、およびトランジスタ５４にバックゲートを設け
た構成であってもよい。図１６（Ａ）はバックゲートに定電位を印加する構成であり、し
きい値電圧を制御することができる。また、図１６（Ｂ）はフロントゲートと同じ電位が
バックゲートに印加される構成であり、オン電流を増加させることができる。なお、図１
６（Ａ）においては、バックゲートが配線３１４（ＧＮＤ）と電気的に接続される構成を
例示したが、定電位が供給される別の配線と電気的に接続されていてもよい。なお、図１
６（Ａ）、（Ｂ）は図１４（Ａ）に示す回路においてトランジスタにバックゲートを設け
た例を示したが、同様の構成を図１２（Ａ）、（Ｂ）、図１４（Ｂ）、図１５（Ａ）、（
Ｂ）に示す回路にも適用することもできる。また、一つの回路に含まれるトランジスタに
対し、フロントゲートと同じ電位がバックゲートに印加される構成、バックゲートに定電
位を印加する構成、またはバックゲートを設けない構成を必要に応じて任意に組み合わせ
た回路構成としてもよい。
【０１７５】
なお、図１６（Ａ）に示す画素回路は、図１９に示すようにトランジスタ５３およびトラ
ンジスタ５４を複数の画素で共用する形態としてもよい。また、図１６（Ｂ）に示す画素
回路は、図２０に示すようにトランジスタ５３およびトランジスタ５４を複数の画素で共
用する形態としてもよい。
【０１７６】
本実施の形態は、他の実施の形態に記載した構成と適宜組み合わせて実施することが可能
である。
【０１７７】
（実施の形態３）
本実施の形態では、画素回路の駆動方法の一例について説明する。
【０１７８】
実施の形態２で説明したように、画素回路の動作は、リセット動作、蓄積動作、および選
択動作の繰り返しである。画素マトリクス全体を制御する撮像方法としては、グローバル
シャッタ方式とローリングシャッタ方式が知られている。
【０１７９】
図２１（Ａ）は、グローバルシャッタ方式におけるタイミングチャートである。なお、図
２１（Ａ）は、マトリクス状に複数の画素回路を有し、当該画素回路に図１２（Ａ）の回
路を有する撮像装置を例として、第１行目から第ｎ行目（ｎは３以上の自然数）の画素回
路の動作を説明するものである。なお、下記の動作説明は、図１２（Ｂ）、図１４（Ａ）
、（Ｂ）、および図１５（Ａ）、（Ｂ）に示す回路にも適用することができる。
【０１８０】
図１２（Ａ）において、信号５０１、信号５０２、信号５０３は、第１行目、第２行目、
第ｎ行目の各画素回路に接続された配線３１１（ＲＳ）に入力される信号である。また、
信号５０４、信号５０５、信号５０６は、第１行目、第２行目、第ｎ行目の各画素回路に
接続された配線３１２（ＴＸ）に入力される信号である。また、信号５０７、信号５０８
、信号５０９は、第１行目、第２行目、第ｎ行目の各画素回路に接続された配線３１３（
ＳＥ）に入力される信号である。
【０１８１】
また、期間５１０は、１回の撮像に要する期間である。また、期間５１１は、各行の画素
回路がリセット動作を同時に行っている期間である。また、期間５２０は、各行の画素回
路が蓄積動作を同時に行っている期間である。なお、選択動作は各行の画素回路で順次行
われる。一例として、期間５３１は、第１行目の画素回路が選択動作を行っている期間で
ある。このように、グローバルシャッタ方式では、全画素回路で略同時にリセット動作が
行われた後、全画素回路で略同時に蓄積動作が行われ、１行毎に順次読み出し動作が行わ
れる。
【０１８２】
つまり、グローバルシャッタ方式では、全ての画素回路において蓄積動作が略同時に行わ
れているため、各行の画素回路における撮像の同時性が確保される。したがって、被写体
が動体であっても歪の小さい画像を取得することができる。
【０１８３】
一方、図２１（Ｂ）は、ローリングシャッタ方式を用いた場合のタイミングチャートであ
る。なお、信号５０１乃至５０９は図２１（Ａ）の説明を参照することができる。期間６
１０は１回の撮像に要する期間である。また、期間６１１、期間６１２、期間６１３は、
それぞれ第１行目、第２行目、第ｎ行目のリセット期間である。また、期間６２１、期間
６２２、期間６２３は、それぞれ第１行目、第２行目、第ｎ行目の蓄積動作期間である。
また、期間６３１は、１行目の画素回路が選択動作を行っている期間である。このように
、ローリングシャッタ方式では、蓄積動作が全ての画素回路では同時に行われず、行毎に
順次行われるため、各行の画素回路における撮像の同時性が確保されない。したがって、
一行目と最終行目では撮像のタイミングが異なるため、動体が被写体である場合は歪の大
きい画像となってしまう。
【０１８４】
グローバルシャッタ方式を実現するためには、各画素からの信号の読み出しが順次終了す
るまで、電荷蓄積部（ＦＤ）の電位を長時間保つ必要がある。電荷蓄積部（ＦＤ）の電位
の長時間の保持は、トランジスタ５１などにチャネル形成領域を酸化物半導体で形成した
極めてオフ電流の低いトランジスタを用いることで実現できる。一方、トランジスタ５１
などにチャネル形成領域をシリコンなどで形成したトランジスタを適用した場合は、オフ
電流が高いために電荷蓄積部（ＦＤ）の電位を長時間保持できず、グローバルシャッタ方
式を用いることが困難となる。
【０１８５】
以上のように、画素回路にチャネル形成領域を酸化物半導体で形成したトランジスタを用
いることでグローバルシャッタ方式を容易に実現することができる。
【０１８６】
本実施の形態は、他の実施の形態に記載した構成と適宜組み合わせて実施することが可能
である。
【０１８７】
（実施の形態４）
本実施の形態では、本発明の一態様に用いることのできる酸化物半導体を有するトランジ
スタについて図面を用いて説明する。なお、本実施の形態における図面では、明瞭化のた
めに一部の要素を拡大、縮小、または省略して図示している。
【０１８８】
図２２（Ａ）、（Ｂ）は、本発明の一態様のトランジスタ１０１の上面図および断面図で
ある。図２２（Ａ）は上面図であり、図２２（Ａ）に示す一点鎖線Ｂ１−Ｂ２方向の断面
が図２２（Ｂ）に相当する。また、図２２（Ａ）に示す一点鎖線Ｂ３−Ｂ４方向の断面が
図２８（Ａ）に相当する。また、一点鎖線Ｂ１−Ｂ２方向をチャネル長方向、一点鎖線Ｂ
３−Ｂ４方向をチャネル幅方向と呼称する。
【０１８９】
トランジスタ１０１は、基板１１５と接する絶縁層１２０と、絶縁層１２０と接する酸化
物半導体層１３０と、酸化物半導体層１３０と電気的に接続する導電層１４０および導電
層１５０と、酸化物半導体層１３０、導電層１４０および導電層１５０と接する絶縁層１
６０と、絶縁層１６０と接する導電層１７０と、導電層１４０、導電層１５０、絶縁層１
６０および導電層１７０と接する絶縁層１７５と、絶縁層１７５と接する絶縁層１８０と
、を有する。また、必要に応じて絶縁層１８０に平坦化膜としての機能を付加してもよい
。
【０１９０】
ここで、導電層１４０はソース電極層、導電層１５０はドレイン電極層、絶縁層１６０は
ゲート絶縁膜、導電層１７０はゲート電極層としてそれぞれ機能することができる。
【０１９１】
また、図２２（Ｂ）に示す領域２３１はソース領域、領域２３２はドレイン領域、領域２
３３はチャネル形成領域として機能することができる。領域２３１および領域２３２は導
電層１４０および導電層１５０とそれぞれ接しており、導電層１４０および導電層１５０
として酸素と結合しやすい導電材料を用いれば領域２３１および領域２３２を低抵抗化す
ることができる。
【０１９２】
具体的には、酸化物半導体層１３０と導電層１４０および導電層１５０とが接することで
酸化物半導体層１３０内に酸素欠損が生じ、当該酸素欠損と酸化物半導体層１３０内に残
留または外部から拡散する水素との相互作用により、領域２３１および領域２３２は低抵
抗のｎ型となる。
【０１９３】
なお、トランジスタの「ソース」や「ドレイン」の機能は、異なる極性のトランジスタを
採用する場合や、回路動作において電流の方向が変化する場合などには入れ替わることが
ある。このため、本明細書においては、「ソース」や「ドレイン」という用語は、入れ替
えて用いることができるものとする。また、「電極層」は、「配線」と言い換えることも
できる。
【０１９４】
また、導電層１７０は、導電層１７１および導電層１７２の二層で形成される例を図示し
ているが、一層または三層以上の積層であってもよい。当該構成は本実施の形態で説明す
る他のトランジスタにも適用できる。
【０１９５】
また、導電層１４０および導電層１５０は単層で形成される例を図示しているが、二層以
上の積層であってもよい。当該構成は本実施の形態で説明する他のトランジスタにも適用
できる。
【０１９６】
また、本発明の一態様のトランジスタは、図２３（Ａ）、（Ｂ）に示す構成であってもよ
い。図２３（Ａ）はトランジスタ１０２の上面図であり、図２３（Ａ）に示す一点鎖線Ｃ
１−Ｃ２方向の断面が図２３（Ｂ）に相当する。また、図２３（Ａ）に示す一点鎖線Ｃ３
−Ｃ４方向の断面は、図２８（Ｂ）に相当する。また、一点鎖線Ｃ１−Ｃ２方向をチャネ
ル長方向、一点鎖線Ｃ３−Ｃ４方向をチャネル幅方向と呼称する。
【０１９７】
トランジスタ１０２は、ゲート絶縁膜として作用する絶縁層１６０の端部とゲート電極層
として作用する導電層１７０の端部とを一致させない点を除き、トランジスタ１０１と同
様の構成を有する。トランジスタ１０２の構造は、導電層１４０および導電層１５０が絶
縁層１６０で広く覆われているため、導電層１４０および導電層１５０と導電層１７０と
の間の抵抗が高く、ゲートリーク電流の少ない特徴を有している。
【０１９８】
トランジスタ１０１およびトランジスタ１０２は、導電層１７０と導電層１４０および導
電層１５０が重なる領域を有するトップゲート構造である。当該領域のチャネル長方向の
幅は、寄生容量を小さくするために３ｎｍ以上３００ｎｍ未満とすることが好ましい。当
該構成では、酸化物半導体層１３０にオフセット領域が形成されないため、オン電流の高
いトランジスタを形成しやすい。
【０１９９】
また、本発明の一態様のトランジスタは、図２４（Ａ）、（Ｂ）に示す構成であってもよ
い。図２４（Ａ）はトランジスタ１０３の上面図であり、図２４（Ａ）に示す一点鎖線Ｄ
１−Ｄ２方向の断面が図２４（Ｂ）に相当する。また、図２４（Ａ）に示す一点鎖線Ｄ３
−Ｄ４方向の断面は、図２８（Ａ）に相当する。また、一点鎖線Ｄ１−Ｄ２方向をチャネ
ル長方向、一点鎖線Ｄ３−Ｄ４方向をチャネル幅方向と呼称する。
【０２００】
トランジスタ１０３は、基板１１５と接する絶縁層１２０と、絶縁層１２０と接する酸化
物半導体層１３０と、酸化物半導体層１３０と接する絶縁層１６０と、絶縁層１６０と接
する導電層１７０と、酸化物半導体層１３０、絶縁層１６０および導電層１７０を覆う絶
縁層１７５と、絶縁層１７５と接する絶縁層１８０と、絶縁層１７５および絶縁層１８０
に設けられた開口部を通じて酸化物半導体層１３０と電気的に接続する導電層１４０およ
び導電層１５０を有する。また、必要に応じて絶縁層１８０、導電層１４０および導電層
１５０に接する絶縁層（平坦化膜）などを有していてもよい。
【０２０１】
ここで、導電層１４０はソース電極層、導電層１５０はドレイン電極層、絶縁層１６０は
ゲート絶縁膜、導電層１７０はゲート電極層としてそれぞれ機能することができる。
【０２０２】
また、図２４（Ｂ）に示す領域２３１はソース領域、領域２３２はドレイン領域、領域２
３３はチャネル形成領域として機能することができる。領域２３１および領域２３２は絶
縁層１７５と接しており、例えば絶縁層１７５として水素を含む絶縁材料を用いれば領域
２３１および領域２３２を低抵抗化することができる。
【０２０３】
具体的には、絶縁層１７５を形成するまでの工程により領域２３１および領域２３２に生
じる酸素欠損と、絶縁層１７５から領域２３１および領域２３２に拡散する水素との相互
作用により、領域２３１および領域２３２は低抵抗のｎ型となる。なお、水素を含む絶縁
材料としては、例えば窒化シリコンや窒化アルミニウムなどを用いることができる。
【０２０４】
また、本発明の一態様のトランジスタは、図２５（Ａ）、（Ｂ）に示す構成であってもよ
い。図２５（Ａ）はトランジスタ１０４の上面図であり、図２５（Ａ）に示す一点鎖線Ｅ
１−Ｅ２方向の断面が図２５（Ｂ）に相当する。また、図２５（Ａ）に示す一点鎖線Ｅ３
−Ｅ４方向の断面は、図２８（Ａ）に相当する。また、一点鎖線Ｅ１−Ｅ２方向をチャネ
ル長方向、一点鎖線Ｅ３−Ｅ４方向をチャネル幅方向と呼称する。
【０２０５】
トランジスタ１０４は、導電層１４０および導電層１５０が酸化物半導体層の端部を覆う
ように接している点を除き、トランジスタ１０３と同様の構成を有する。
【０２０６】
また、図２５（Ｂ）に示す領域３３１および領域３３４はソース領域、領域３３２および
領域３３５はドレイン領域、領域３３３はチャネル形成領域として機能することができる
。
【０２０７】
領域３３１および領域３３２は、トランジスタ１０１における領域２３１および領域２３
２と同様に低抵抗化することができる。
【０２０８】
また、領域３３４および領域３３５は、トランジスタ１０３における領域２３１および領
域２３２と同様に低抵抗化することができる。なお、チャネル長方向における領域３３４
および領域３３５の長さが１００ｎｍ以下、好ましくは５０ｎｍ以下の場合には、ゲート
電界の寄与によりオン電流は大きく低下しない。したがって、領域３３４および領域３３
５の低抵抗化を行わない場合もある。
【０２０９】
トランジスタ１０３およびトランジスタ１０４は、導電層１７０と導電層１４０および導
電層１５０が重なる領域を有さないセルフアライン構造である。セルフアライン構造のト
ランジスタはゲート電極層とソース電極層およびドレイン電極層間の寄生容量が極めて小
さいため、高速動作用途に適している。
【０２１０】
また、本発明の一態様のトランジスタは、図２６（Ａ）、（Ｂ）に示す構成であってもよ
い。図２６（Ａ）はトランジスタ１０５の上面図であり、図２６（Ａ）に示す一点鎖線Ｆ
１−Ｆ２方向の断面が図２６（Ｂ）に相当する。また、図２６（Ａ）に示す一点鎖線Ｆ３
−Ｆ４方向の断面は、図２８（Ａ）に相当する。また、一点鎖線Ｆ１−Ｆ２方向をチャネ
ル長方向、一点鎖線Ｆ３−Ｆ４方向をチャネル幅方向と呼称する。
【０２１１】
トランジスタ１０５は、基板１１５と接する絶縁層１２０と、絶縁層１２０と接する酸化
物半導体層１３０と、酸化物半導体層１３０と電気的に接続する導電層１４１および導電
層１５１と、酸化物半導体層１３０、導電層１４１、導電層１５１と接する絶縁層１６０
と、絶縁層１６０と接する導電層１７０と、酸化物半導体層１３０、導電層１４１、導電
層１５１、絶縁層１６０および導電層１７０と接する絶縁層１７５と、絶縁層１７５と接
する絶縁層１８０と、絶縁層１７５および絶縁層１８０に設けられた開口部を通じて導電
層１４１および導電層１５１とそれぞれ電気的に接続する導電層１４２および導電層１５
２を有する。また、必要に応じて絶縁層１８０、導電層１４２および導電層１５２に接す
る絶縁層などを有していてもよい。
【０２１２】
ここで、導電層１４１および導電層１５１は、酸化物半導体層１３０の上面と接し、側面
には接しない構成となっている。
【０２１３】
トランジスタ１０５は、導電層１４１および導電層１５１を有する点、絶縁層１７５およ
び絶縁層１８０に設けられた開口部を有する点、ならびに当該開口部を通じて導電層１４
１および導電層１５１とそれぞれ電気的に接続する導電層１４２および導電層１５２を有
する点を除き、トランジスタ１０１と同様の構成を有する。導電層１４０（導電層１４１
および導電層１４２）はソース電極層として作用させることができ、導電層１５０（導電
層１５１および導電層１５２）はドレイン電極層として作用させることができる。
【０２１４】
また、本発明の一態様のトランジスタは、図２７（Ａ）、（Ｂ）に示す構成であってもよ
い。図２７（Ａ）はトランジスタ１０６の上面図であり、図２７（Ａ）に示す一点鎖線Ｇ
１−Ｇ２方向の断面が図２７（Ｂ）に相当する。また、図２７（Ａ）に示す一点鎖線Ｇ３
−Ｇ４方向の断面は、図２８（Ａ）に相当する。また、一点鎖線Ｇ１−Ｇ２方向をチャネ
ル長方向、一点鎖線Ｇ３−Ｇ４方向をチャネル幅方向と呼称する。
【０２１５】
トランジスタ１０６は、基板１１５と接する絶縁層１２０と、絶縁層１２０と接する酸化
物半導体層１３０と、酸化物半導体層１３０と電気的に接続する導電層１４１および導電
層１５１と、酸化物半導体層１３０と接する絶縁層１６０と、絶縁層１６０と接する導電
層１７０と、絶縁層１２０、酸化物半導体層１３０、導電層１４１、導電層１５１、絶縁
層１６０、導電層１７０と接する絶縁層１７５と、絶縁層１７５と接する絶縁層１８０と
、絶縁層１７５および絶縁層１８０に設けられた開口部を通じて導電層１４１および導電
層１５１とそれぞれ電気的に接続する導電層１４２および導電層１５２を有する。また、
必要に応じて絶縁層１８０、導電層１４２および導電層１５２に接する絶縁層（平坦化膜
）などを有していてもよい。
【０２１６】
ここで、導電層１４１および導電層１５１は、酸化物半導体層１３０の上面と接し、側面
には接しない構成となっている。
【０２１７】
トランジスタ１０６は、導電層１４１および導電層１５１を有する点を除き、トランジス
タ１０３と同様の構成を有する。導電層１４０（導電層１４１および導電層１４２）はソ
ース電極層として作用させることができ、導電層１５０（導電層１５１および導電層１５
２）はドレイン電極層として作用させることができる。
【０２１８】
トランジスタ１０５およびトランジスタ１０６の構成では、導電層１４０および導電層１
５０が絶縁層１２０と接しない構成であるため、絶縁層１２０中の酸素が導電層１４０お
よび導電層１５０に奪われにくくなり、絶縁層１２０から酸化物半導体層１３０中への酸
素の供給を容易とすることができる。
【０２１９】
なお、トランジスタ１０３における領域２３１および領域２３２、トランジスタ１０４お
よびトランジスタ１０６における領域３３４および領域３３５には、酸素欠損を形成し導
電率を高めるための不純物を添加してもよい。酸化物半導体層に酸素欠損を形成する不純
物としては、例えば、リン、砒素、アンチモン、ホウ素、アルミニウム、シリコン、窒素
、ヘリウム、ネオン、アルゴン、クリプトン、キセノン、インジウム、フッ素、塩素、チ
タン、亜鉛、および炭素のいずれかから選択される一つ以上を用いることができる。当該
不純物の添加方法としては、プラズマ処理法、イオン注入法、イオンドーピング法、プラ
ズマイマージョンイオンインプランテーション法などを用いることができる。
【０２２０】
不純物元素として、上記元素が酸化物半導体層に添加されると、酸化物半導体層中の金属
元素および酸素の結合が切断され、酸素欠損が形成される。酸化物半導体層に含まれる酸
素欠損と酸化物半導体層中に残存または後から添加される水素の相互作用により、酸化物
半導体層の導電率を高くすることができる。
【０２２１】
なお、不純物元素の添加により酸素欠損が形成された酸化物半導体に水素を添加すると、
酸素欠損サイトに水素が入り伝導帯近傍にドナー準位が形成される。その結果、酸化物導
電体を形成することができる。ここでは、導電体化された酸化物半導体を酸化物導電体と
いう。なお、酸化物導電体は酸化物半導体と同様に透光性を有する。
【０２２２】
酸化物導電体は、縮退半導体であり、伝導帯端とフェルミ準位とが一致または略一致して
いると推定される。このため、酸化物導電体層とソース電極層およびドレイン電極層とし
て機能する導電層との接触はオーミック接触であり、酸化物導電体層とソース電極層およ
びドレイン電極層として機能する導電層との接触抵抗を低減することができる。
【０２２３】
また、本発明の一態様のトランジスタは、図２９（Ａ）、（Ｂ）、（Ｃ）、（Ｄ）、（Ｅ
）、（Ｆ）に示すチャネル長方向の断面図、ならびに図２８（Ｃ）、（Ｄ）に示すチャネ
ル幅方向の断面図のように、酸化物半導体層１３０と基板１１５との間に導電層１７３を
備えていてもよい。当該導電層を第２のゲート電極層（バックゲート）として用いること
で、オン電流の増加や、しきい値電圧の制御を行うことができる。なお、図２９（Ａ）、
（Ｂ）、（Ｃ）、（Ｄ）、（Ｅ）、（Ｆ）に示す断面図において、導電層１７３の幅を酸
化物半導体層１３０よりも短くしてもよい。さらに、導電層１７３の幅を導電層１７０の
幅よりも短くしてもよい。
【０２２４】
オン電流を増加させるには、例えば、導電層１７０と導電層１７３を同電位とし、ダブル
ゲートトランジスタとして駆動させればよい。また、しきい値電圧の制御を行うには、導
電層１７０とは異なる定電位を導電層１７３に供給すればよい。導電層１７０と導電層１
７３を同電位とするには、例えば、図２８（Ｄ）に示すように、導電層１７０と導電層１
７３とをコンタクトホールを介して電気的に接続すればよい。
【０２２５】
また、図２２乃至図２７におけるトランジスタ１０１乃至トランジスタ１０６では、酸化
物半導体層１３０が単層である例を図示したが、酸化物半導体層１３０は積層であっても
よい。トランジスタ１０１乃至トランジスタ１０６の酸化物半導体層１３０は、図３０（
Ｂ）、（Ｃ）または図３０（Ｄ）、（Ｅ）に示す酸化物半導体層１３０と入れ替えること
ができる。
【０２２６】
図３０（Ａ）は酸化物半導体層１３０の上面図であり、図３０（Ｂ）、（Ｃ）は、二層構
造である酸化物半導体層１３０の断面図である。また、図３０（Ｄ）、（Ｅ）は、三層構
造である酸化物半導体層１３０の断面図である。
【０２２７】
酸化物半導体層１３０ａ、酸化物半導体層１３０ｂ、酸化物半導体層１３０ｃには、それ
ぞれ組成の異なる酸化物半導体層などを用いることができる。
【０２２８】
また、本発明の一態様のトランジスタは、図３１（Ａ）、（Ｂ）に示す構成であってもよ
い。図３１（Ａ）はトランジスタ１０７の上面図であり、図３１（Ａ）に示す一点鎖線Ｈ
１−Ｈ２方向の断面が図３１（Ｂ）に相当する。また、図３１（Ａ）に示す一点鎖線Ｈ３
−Ｈ４方向の断面が図３７（Ａ）に相当する。また、一点鎖線Ｈ１−Ｈ２方向をチャネル
長方向、一点鎖線Ｈ３−Ｈ４方向をチャネル幅方向と呼称する。
【０２２９】
トランジスタ１０７は、基板１１５と接する絶縁層１２０と、絶縁層１２０と接する酸化
物半導体層１３０ａおよび酸化物半導体層１３０ｂからなる積層と、当該積層と電気的に
接続する導電層１４０および導電層１５０と、当該積層、導電層１４０および導電層１５
０と接する酸化物半導体層１３０ｃと、酸化物半導体層１３０ｃと接する絶縁層１６０と
、絶縁層１６０と接する導電層１７０と、導電層１４０、導電層１５０、酸化物半導体層
１３０ｃ、絶縁層１６０および導電層１７０と接する絶縁層１７５と、絶縁層１７５と接
する絶縁層１８０と、を有する。また、必要に応じて絶縁層１８０に平坦化膜としての機
能を付加してもよい。
【０２３０】
トランジスタ１０７は、領域２３１および領域２３２において酸化物半導体層１３０が二
層（酸化物半導体層１３０ａ、酸化物半導体層１３０ｂ）である点、領域２３３において
酸化物半導体層１３０が三層（酸化物半導体層１３０ａ、酸化物半導体層１３０ｂ、酸化
物半導体層１３０ｃ）である点、および導電層１４０および導電層１５０と絶縁層１６０
との間に酸化物半導体層の一部（酸化物半導体層１３０ｃ）が介在している点を除き、ト
ランジスタ１０１と同様の構成を有する。
【０２３１】
また、本発明の一態様のトランジスタは、図３２（Ａ）、（Ｂ）に示す構成であってもよ
い。図３２（Ａ）はトランジスタ１０８の上面図であり、図３２（Ａ）に示す一点鎖線Ｉ
１−Ｉ２方向の断面が図３２（Ｂ）に相当する。また、図３２（Ａ）に示す一点鎖線Ｉ３
−Ｉ４方向の断面が図３７（Ｂ）に相当する。また、一点鎖線Ｉ１−Ｉ２方向をチャネル
長方向、一点鎖線Ｉ３−Ｉ４方向をチャネル幅方向と呼称する場合がある。
【０２３２】
トランジスタ１０８は、絶縁層１６０および酸化物半導体層１３０ｃの端部が導電層１７
０の端部と一致しない点がトランジスタ１０７と異なる。
【０２３３】
また、本発明の一態様のトランジスタは、図３３（Ａ）、（Ｂ）に示す構成であってもよ
い。図３３（Ａ）はトランジスタ１０９の上面図であり、図３３（Ａ）に示す一点鎖線Ｊ
１−Ｊ２方向の断面が図３３（Ｂ）に相当する。また、図３３（Ａ）に示す一点鎖線Ｊ３
−Ｊ４方向の断面が図３７（Ａ）に相当する。また、一点鎖線Ｊ１−Ｊ２方向をチャネル
長方向、一点鎖線Ｊ３−Ｊ４方向をチャネル幅方向と呼称する。
【０２３４】
トランジスタ１０９は、基板１１５と接する絶縁層１２０と、絶縁層１２０と接する酸化
物半導体層１３０ａおよび酸化物半導体層１３０ｂからなる積層と、当該積層と接する酸
化物半導体層１３０ｃと、酸化物半導体層１３０ｃと接する絶縁層１６０と、絶縁層１６
０と接する導電層１７０と、当該積層、酸化物半導体層１３０ｃ、絶縁層１６０および導
電層１７０を覆う絶縁層１７５と、絶縁層１７５と接する絶縁層１８０と、絶縁層１７５
および絶縁層１８０に設けられた開口部を通じて当該積層と電気的に接続する導電層１４
０および導電層１５０を有する。また、必要に応じて絶縁層１８０、導電層１４０および
導電層１５０に接する絶縁層（平坦化膜）などを有していてもよい。
【０２３５】
トランジスタ１０９は、領域２３１および領域２３２において酸化物半導体層１３０が二
層（酸化物半導体層１３０ａ、酸化物半導体層１３０ｂ）である点、領域２３３において
酸化物半導体層１３０が三層（酸化物半導体層１３０ａ、酸化物半導体層１３０ｂ、酸化
物半導体層１３０ｃ）である点を除き、トランジスタ１０３と同様の構成を有する。
【０２３６】
また、本発明の一態様のトランジスタは、図３４（Ａ）、（Ｂ）に示す構成であってもよ
い。図３４（Ａ）はトランジスタ１１０の上面図であり、図３４（Ａ）に示す一点鎖線Ｋ
１−Ｋ２方向の断面が図３４（Ｂ）に相当する。また、図３４（Ａ）に示す一点鎖線Ｋ３
−Ｋ４方向の断面が図３７（Ａ）に相当する。また、一点鎖線Ｋ１−Ｋ２方向をチャネル
長方向、一点鎖線Ｋ３−Ｋ４方向をチャネル幅方向と呼称する。
【０２３７】
トランジスタ１１０は、領域２３１および領域２３２において酸化物半導体層１３０が二
層（酸化物半導体層１３０ａ、酸化物半導体層１３０ｂ）である点、領域２３３において
酸化物半導体層１３０が三層（酸化物半導体層１３０ａ、酸化物半導体層１３０ｂ、酸化
物半導体層１３０ｃ）である点を除き、トランジスタ１０４と同様の構成を有する。
【０２３８】
また、本発明の一態様のトランジスタは、図３５（Ａ）、（Ｂ）に示す構成であってもよ
い。図３５（Ａ）はトランジスタ１１１の上面図であり、図３５（Ａ）に示す一点鎖線Ｌ
１−Ｌ２方向の断面が図３５（Ｂ）に相当する。また、図３５（Ａ）に示す一点鎖線Ｌ３
−Ｌ４方向の断面が図３７（Ａ）に相当する。また、一点鎖線Ｌ１−Ｌ２方向をチャネル
長方向、一点鎖線Ｌ３−Ｌ４方向をチャネル幅方向と呼称する。
【０２３９】
トランジスタ１１１は、基板１１５と接する絶縁層１２０と、絶縁層１２０と接する酸化
物半導体層１３０ａおよび酸化物半導体層１３０ｂからなる積層と、当該積層と電気的に
接続する導電層１４１および導電層１５１と、当該積層、導電層１４１および導電層１５
１と接する酸化物半導体層１３０ｃと、酸化物半導体層１３０ｃと接する絶縁層１６０と
、絶縁層１６０と接する導電層１７０と、当該積層、導電層１４１、導電層１５１、酸化
物半導体層１３０ｃ、絶縁層１６０および導電層１７０と接する絶縁層１７５と、絶縁層
１７５と接する絶縁層１８０と、絶縁層１７５および絶縁層１８０に設けられた開口部を
通じて導電層１４１および導電層１５１とそれぞれ電気的に接続する導電層１４２および
導電層１５２を有する。また、必要に応じて絶縁層１８０、導電層１４２および導電層１
５２に接する絶縁層（平坦化膜）などを有していてもよい。
【０２４０】
トランジスタ１１１は、領域２３１および領域２３２において酸化物半導体層１３０が二
層（酸化物半導体層１３０ａ、酸化物半導体層１３０ｂ）である点、領域２３３において
酸化物半導体層１３０が三層（酸化物半導体層１３０ａ、酸化物半導体層１３０ｂ、酸化
物半導体層１３０ｃ）である点、および導電層１４１および導電層１５１と絶縁層１６０
との間に酸化物半導体層の一部（酸化物半導体層１３０ｃ）が介在している点を除き、ト
ランジスタ１０５と同様の構成を有する。
【０２４１】
また、本発明の一態様のトランジスタは、図３６（Ａ）、（Ｂ）に示す構成であってもよ
い。図３６（Ａ）はトランジスタ１１２の上面図であり、図３６（Ａ）に示す一点鎖線Ｍ
１−Ｍ２方向の断面が図３６（Ｂ）に相当する。また、図３６（Ａ）に示す一点鎖線Ｍ３
−Ｍ４方向の断面が図３７（Ａ）に相当する。また、一点鎖線Ｍ１−Ｍ２方向をチャネル
長方向、一点鎖線Ｍ３−Ｍ４方向をチャネル幅方向と呼称する。
【０２４２】
トランジスタ１１２は、領域３３１、領域３３２、領域３３４および領域３３５において
酸化物半導体層１３０が二層（酸化物半導体層１３０ａ、酸化物半導体層１３０ｂ）であ
る点、領域３３３において酸化物半導体層１３０が三層（酸化物半導体層１３０ａ、酸化
物半導体層１３０ｂ、酸化物半導体層１３０ｃ）である点を除き、トランジスタ１０６と
同様の構成を有する。
【０２４３】
また、本発明の一態様のトランジスタは、図３８（Ａ）、（Ｂ）、（Ｃ）、（Ｄ）、（Ｅ
）、（Ｆ）に示すチャネル長方向の断面図、ならびに図３７（Ｃ）、（Ｄ）に示すチャネ
ル幅方向の断面図のように、酸化物半導体層１３０と基板１１５との間に導電層１７３を
備えていてもよい。当該導電層を第２のゲート電極層（バックゲート）として用いること
で、更なるオン電流の増加や、しきい値電圧の制御を行うことができる。なお、図３８（
Ａ）、（Ｂ）、（Ｃ）、（Ｄ）、（Ｅ）、（Ｆ）に示す断面図において、導電層１７３の
幅を酸化物半導体層１３０よりも短くしてもよい。さらに、導電層１７３の幅を導電層１
７０の幅よりも短くしてもよい。
【０２４４】
また、本発明の一態様のトランジスタにおける導電層１４０（ソース電極層）および導電
層１５０（ドレイン電極層）は、図３９（Ａ）、（Ｂ）に示す上面図（酸化物半導体層１
３０、導電層１４０および導電層１５０のみを図示）のように酸化物半導体層の幅（ＷＯ
Ｓ）よりも導電層１４０および導電層１５０の幅（ＷＳＤ）が長く形成されていてもよい
し、短く形成されていてもよい。ＷＯＳ≧ＷＳＤ（ＷＳＤはＷＯＳ以下）とすることで、
ゲート電界が酸化物半導体層１３０全体にかかりやすくなり、トランジスタの電気特性を
向上させることができる。
【０２４５】
本発明の一態様のトランジスタ（トランジスタ１０１乃至トランジスタ１１２）では、い
ずれの構成においても、ゲート電極層である導電層１７０は、ゲート絶縁膜である絶縁層
１６０を介して酸化物半導体層１３０のチャネル幅方向を電気的に取り囲み、オン電流が
高められる。このようなトランジスタの構造を、ｓｕｒｒｏｕｎｄｅｄ  ｃｈａｎｎｅｌ
（ｓ−ｃｈａｎｎｅｌ）構造とよぶ。
【０２４６】
また、酸化物半導体層１３０ａおよび酸化物半導体層１３０ｂを有するトランジスタ、な
らびに酸化物半導体層１３０ａ、酸化物半導体層１３０ｂおよび酸化物半導体層１３０ｃ
を有するトランジスタにおいては、酸化物半導体層１３０を構成する二層または三層の材
料を適切に選択することで酸化物半導体層１３０ｂに電流を流すことができる。酸化物半
導体層１３０ｂに電流が流れることで、界面散乱の影響を受けにくく、高いオン電流を得
ることができる。なお、酸化物半導体層１３０ｂを厚くすると、オン電流を向上させるこ
とができる。例えば、酸化物半導体層１３０ｂの膜厚を１００ｎｍ乃至２００ｎｍとして
もよい。
【０２４７】
以上の構成のトランジスタを用いることにより、半導体装置に良好な電気特性を付与する
ことができる。
【０２４８】
本実施の形態に示す構成は、他の実施の形態に示す構成と適宜組み合わせて用いることが
できる。
【０２４９】
（実施の形態５）
本実施の形態では、実施の形態４に示したトランジスタの構成要素について詳細を説明す
る。
【０２５０】
基板１１５には、ガラス基板、石英基板、半導体基板、セラミックス基板、表面が絶縁処
理された金属基板などを用いることができる。または、トランジスタやフォトダイオード
が形成されたシリコン基板、および当該シリコン基板上に絶縁層、配線、コンタクトプラ
グとして機能を有する導電体等が形成されたものを用いることができる。なお、シリコン
基板にｐ−ｃｈ型のトランジスタを形成する場合は、ｎ−型の導電型を有するシリコン基
板を用いることが好ましい。または、ｎ−型またはｉ型のシリコン層を有するＳＯＩ基板
であってもよい。また、当該シリコン基板に設けるトランジスタがｐ−ｃｈ型である場合
、トランジスタを形成する面の面方位は、（１１０）面であることが好ましい。（１１０
）面にｐ−ｃｈ型トランジスタを形成することで、移動度を高くすることができる。
【０２５１】
絶縁層１２０は、基板１１５に含まれる要素からの不純物の拡散を防止する役割を有する
ほか、酸化物半導体層１３０に酸素を供給する役割を担うことができる。したがって、絶
縁層１２０は酸素を含む絶縁膜であることが好ましく、化学量論組成よりも多い酸素を含
む絶縁膜であることがより好ましい。例えば、膜の表面温度が１００℃以上７００℃以下
、好ましくは１００℃以上５００℃以下の加熱処理で行われるＴＤＳ法にて、酸素原子に
換算しての酸素の放出量が１．０×１０１９ａｔｏｍｓ／ｃｍ３以上である膜とする。ま
た、基板１１５が他のデバイスが形成された基板である場合、絶縁層１２０は、層間絶縁
膜としての機能も有する。その場合は、表面が平坦になるようにＣＭＰ法等で平坦化処理
を行うことが好ましい。
【０２５２】
例えば、絶縁層１２０には、酸化アルミニウム、酸化マグネシウム、酸化シリコン、酸化
窒化シリコン、酸化ガリウム、酸化ゲルマニウム、酸化イットリウム、酸化ジルコニウム
、酸化ランタン、酸化ネオジム、酸化ハフニウムおよび酸化タンタルなどの酸化物絶縁膜
、窒化シリコン、窒化酸化シリコン、窒化アルミニウム、窒化酸化アルミニウムなどの窒
化物絶縁膜、またはこれらの混合材料を用いることができる。また、上記材料の積層であ
ってもよい。
【０２５３】
なお、本実施の形態では、トランジスタが有する酸化物半導体層１３０が酸化物半導体層
１３０ａ、酸化物半導体層１３０ｂおよび酸化物半導体層１３０ｃを絶縁層１２０側から
順に積んだ三層構造である場合を主として詳細を説明する。
【０２５４】
なお、酸化物半導体層１３０が単層の場合は、本実施の形態に示す、酸化物半導体層１３
０ｂに相当する層を用いればよい。
【０２５５】
また、酸化物半導体層１３０が二層の場合は、本実施の形態に示す、酸化物半導体層１３
０ａに相当する層および酸化物半導体層１３０ｂに相当する層を絶縁層１２０側から順に
積んだ積層を用いればよい。この構成の場合、酸化物半導体層１３０ａと酸化物半導体層
１３０ｂとを入れ替えることもできる。
【０２５６】
また、酸化物半導体層１３０が四層以上である場合は、例えば、本実施の形態で説明する
三層構造の酸化物半導体層１３０に対して他の酸化物半導体層を付加する構成とすること
ができる。
【０２５７】
一例としては、酸化物半導体層１３０ｂには、酸化物半導体層１３０ａおよび酸化物半導
体層１３０ｃよりも電子親和力（真空準位から伝導帯下端までのエネルギー）が大きい酸
化物半導体を用いる。電子親和力は、真空準位と価電子帯上端とのエネルギー差（イオン
化ポテンシャル）から、伝導帯下端と価電子帯上端とのエネルギー差（エネルギーギャッ
プ）を差し引いた値として求めることができる。
【０２５８】
酸化物半導体層１３０ａおよび酸化物半導体層１３０ｃは、酸化物半導体層１３０ｂを構
成する金属元素を一種以上含み、例えば、伝導帯下端のエネルギーが酸化物半導体層１３
０ｂよりも、０．０５ｅＶ、０．０７ｅＶ、０．１ｅＶ、０．１５ｅＶのいずれか以上で
あって、２ｅＶ、１ｅＶ、０．５ｅＶ、０．４ｅＶのいずれか以下の範囲で真空準位に近
い酸化物半導体で形成することが好ましい。
【０２５９】
このような構造において、導電層１７０に電界を印加すると、酸化物半導体層１３０のう
ち、伝導帯下端のエネルギーが最も小さい酸化物半導体層１３０ｂにチャネルが形成され
る。
【０２６０】
また、酸化物半導体層１３０ａは、酸化物半導体層１３０ｂを構成する金属元素を一種以
上含んで構成されるため、酸化物半導体層１３０ｂと絶縁層１２０が接した場合の界面と
比較して、酸化物半導体層１３０ｂと酸化物半導体層１３０ａとの界面には界面準位が形
成されにくくなる。該界面準位はチャネルを形成することがあるため、トランジスタのし
きい値電圧が変動することがある。したがって、酸化物半導体層１３０ａを設けることに
より、トランジスタのしきい値電圧などの電気特性のばらつきを低減することができる。
また、当該トランジスタの信頼性を向上させることができる。
【０２６１】
また、酸化物半導体層１３０ｃは、酸化物半導体層１３０ｂを構成する金属元素を一種以
上含んで構成されるため、酸化物半導体層１３０ｂとゲート絶縁膜（絶縁層１６０）が接
した場合の界面と比較して、酸化物半導体層１３０ｂと酸化物半導体層１３０ｃとの界面
ではキャリアの散乱が起こりにくくなる。したがって、酸化物半導体層１３０ｃを設ける
ことにより、トランジスタの電界効果移動度を高くすることができる。
【０２６２】
酸化物半導体層１３０ａおよび酸化物半導体層１３０ｃには、例えば、Ａｌ、Ｔｉ、Ｇａ
、Ｇｅ、Ｙ、Ｚｒ、Ｓｎ、Ｌａ、ＣｅまたはＨｆを酸化物半導体層１３０ｂよりも高い原
子数比で含む材料を用いることができる。具体的には、当該原子数比を１．５倍以上、好
ましくは２倍以上、さらに好ましくは３倍以上とする。前述の元素は酸素と強く結合する
ため、酸素欠損が酸化物半導体層に生じることを抑制する機能を有する。すなわち、酸化
物半導体層１３０ａおよび酸化物半導体層１３０ｃは、酸化物半導体層１３０ｂよりも酸
素欠損が生じにくいということができる。
【０２６３】
また、酸化物半導体層１３０ａ、酸化物半導体層１３０ｂ、および酸化物半導体層１３０
ｃとして用いることのできる酸化物半導体は、少なくともＩｎもしくはＺｎを含むことが
好ましい。または、ＩｎとＺｎの双方を含むことが好ましい。また、該酸化物半導体を用
いたトランジスタの電気特性のばらつきを減らすため、それらと共に、スタビライザーを
含むことが好ましい。
【０２６４】
スタビライザーとしては、Ｇａ、Ｓｎ、Ｈｆ、Ａｌ、またはＺｒ等がある。また、他のス
タビライザーとしては、ランタノイドである、Ｌａ、Ｃｅ、Ｐｒ、Ｎｄ、Ｓｍ、Ｅｕ、Ｇ
ｄ、Ｔｂ、Ｄｙ、Ｈｏ、Ｅｒ、Ｔｍ、Ｙｂ、Ｌｕ等がある。
【０２６５】
例えば、酸化物半導体として、酸化インジウム、酸化スズ、酸化ガリウム、酸化亜鉛、Ｉ
ｎ−Ｚｎ酸化物、Ｓｎ−Ｚｎ酸化物、Ａｌ−Ｚｎ酸化物、Ｚｎ−Ｍｇ酸化物、Ｓｎ−Ｍｇ
酸化物、Ｉｎ−Ｍｇ酸化物、Ｉｎ−Ｇａ酸化物、Ｉｎ−Ｇａ−Ｚｎ酸化物、Ｉｎ−Ａｌ−
Ｚｎ酸化物、Ｉｎ−Ｓｎ−Ｚｎ酸化物、Ｓｎ−Ｇａ−Ｚｎ酸化物、Ａｌ−Ｇａ−Ｚｎ酸化
物、Ｓｎ−Ａｌ−Ｚｎ酸化物、Ｉｎ−Ｈｆ−Ｚｎ酸化物、Ｉｎ−Ｌａ−Ｚｎ酸化物、Ｉｎ
−Ｃｅ−Ｚｎ酸化物、Ｉｎ−Ｐｒ−Ｚｎ酸化物、Ｉｎ−Ｎｄ−Ｚｎ酸化物、Ｉｎ−Ｓｍ−
Ｚｎ酸化物、Ｉｎ−Ｅｕ−Ｚｎ酸化物、Ｉｎ−Ｇｄ−Ｚｎ酸化物、Ｉｎ−Ｔｂ−Ｚｎ酸化
物、Ｉｎ−Ｄｙ−Ｚｎ酸化物、Ｉｎ−Ｈｏ−Ｚｎ酸化物、Ｉｎ−Ｅｒ−Ｚｎ酸化物、Ｉｎ
−Ｔｍ−Ｚｎ酸化物、Ｉｎ−Ｙｂ−Ｚｎ酸化物、Ｉｎ−Ｌｕ−Ｚｎ酸化物、Ｉｎ−Ｓｎ−
Ｇａ−Ｚｎ酸化物、Ｉｎ−Ｈｆ−Ｇａ−Ｚｎ酸化物、Ｉｎ−Ａｌ−Ｇａ−Ｚｎ酸化物、Ｉ
ｎ−Ｓｎ−Ａｌ−Ｚｎ酸化物、Ｉｎ−Ｓｎ−Ｈｆ−Ｚｎ酸化物、Ｉｎ−Ｈｆ−Ａｌ−Ｚｎ
酸化物を用いることができる。
【０２６６】
なお、ここで、例えば、Ｉｎ−Ｇａ−Ｚｎ酸化物とは、ＩｎとＧａとＺｎを主成分として
有する酸化物という意味である。また、ＩｎとＧａとＺｎ以外の金属元素が入っていても
よい。また、本明細書においては、Ｉｎ−Ｇａ−Ｚｎ酸化物で構成した膜をＩＧＺＯ膜と
も呼ぶ。
【０２６７】
また、ＩｎＭＯ３（ＺｎＯ）ｍ（ｍ＞０、且つ、ｍは整数でない）で表記される材料を用
いてもよい。なお、Ｍは、Ｇａ、Ｙ、Ｚｒ、Ｌａ、Ｃｅ、またはＮｄから選ばれた一つの
金属元素または複数の金属元素を示す。また、Ｉｎ２ＳｎＯ５（ＺｎＯ）ｎ（ｎ＞０、且
つ、ｎは整数）で表記される材料を用いてもよい。
【０２６８】
なお、酸化物半導体層１３０ａ、酸化物半導体層１３０ｂ、酸化物半導体層１３０ｃが、
少なくともインジウム、亜鉛およびＭ（Ａｌ、Ｔｉ、Ｇａ、Ｇｅ、Ｙ、Ｚｒ、Ｓｎ、Ｌａ
、ＣｅまたはＨｆ等の金属）を含むＩｎ−Ｍ−Ｚｎ酸化物であるとき、酸化物半導体層１
３０ａをＩｎ：Ｍ：Ｚｎ＝ｘ１：ｙ１：ｚ１［原子数比］、酸化物半導体層１３０ｂをＩ
ｎ：Ｍ：Ｚｎ＝ｘ２：ｙ２：ｚ２［原子数比］、酸化物半導体層１３０ｃをＩｎ：Ｍ：Ｚ
ｎ＝ｘ３：ｙ３：ｚ３［原子数比］とすると、ｙ１／ｘ１およびｙ３／ｘ３がｙ２／ｘ２
よりも大きくなることが好ましい。ｙ１／ｘ１およびｙ３／ｘ３はｙ２／ｘ２よりも１．
５倍以上、好ましくは２倍以上、さらに好ましくは３倍以上とする。このとき、酸化物半
導体層１３０ｂにおいて、ｙ２がｘ２以上であるとトランジスタの電気特性を安定させる
ことができる。ただし、ｙ２がｘ２の３倍以上になると、トランジスタの電界効果移動度
が低下してしまうため、ｙ２はｘ２の３倍未満であることが好ましい。
【０２６９】
酸化物半導体層１３０ａおよび酸化物半導体層１３０ｃにおけるＺｎおよびＯを除いた場
合において、ＩｎおよびＭの原子数比率は、好ましくはＩｎが５０ａｔｏｍｉｃ％未満、
Ｍが５０ａｔｏｍｉｃ％以上、さらに好ましくはＩｎが２５ａｔｏｍｉｃ％未満、Ｍが７
５ａｔｏｍｉｃ％以上とする。また、酸化物半導体層１３０ｂのＺｎおよびＯを除いての
ＩｎおよびＭの原子数比率は、好ましくはＩｎが２５ａｔｏｍｉｃ％以上、Ｍが７５ａｔ
ｏｍｉｃ％未満、さらに好ましくはＩｎが３４ａｔｏｍｉｃ％以上、Ｍが６６ａｔｏｍｉ
ｃ％未満とする。
【０２７０】
また、酸化物半導体層１３０ｂは、酸化物半導体層１３０ａおよび酸化物半導体層１３０
ｃよりもインジウムの含有量を多くするとよい。酸化物半導体では主として重金属のｓ軌
道がキャリア伝導に寄与しており、Ｉｎの含有率を多くすることにより、より多くのｓ軌
道が重なるため、ＩｎがＭよりも多い組成となる酸化物はＩｎがＭと同等または少ない組
成となる酸化物と比較して移動度が高くなる。そのため、酸化物半導体層１３０ｂにイン
ジウムの含有量が多い酸化物を用いることで、高い電界効果移動度のトランジスタを実現
することができる。
【０２７１】
酸化物半導体層１３０ａの厚さは、３ｎｍ以上１００ｎｍ以下、好ましくは５ｎｍ以上５
０ｎｍ以下、さらに好ましくは５ｎｍ以上２５ｎｍ以下とする。また、酸化物半導体層１
３０ｂの厚さは、３ｎｍ以上２００ｎｍ以下、好ましくは１０ｎｍ以上１５０ｎｍ以下、
さらに好ましくは１５ｎｍ以上１００ｎｍ以下とする。また、酸化物半導体層１３０ｃの
厚さは、１ｎｍ以上５０ｎｍ以下、好ましくは２ｎｍ以上３０ｎｍ以下、さらに好ましく
は３ｎｍ以上１５ｎｍ以下とする。また、酸化物半導体層１３０ｂは、酸化物半導体層１
３０ａより厚い方が好ましい。
【０２７２】
酸化物半導体層をチャネルとするトランジスタに安定した電気特性を付与するためには、
酸化物半導体層中の不純物濃度を低減し、酸化物半導体層を真性または実質的に真性にす
ることが有効である。ここで、実質的に真性とは、酸化物半導体層のキャリア密度が、１
×１０１７／ｃｍ３未満であること、好ましくは１×１０１５／ｃｍ３未満であること、
さらに好ましくは１×１０１３／ｃｍ３未満であることを指す。
【０２７３】
また、酸化物半導体層において、水素、窒素、炭素、シリコン、および主成分以外の金属
元素は不純物となる。例えば、水素および窒素はドナー準位の形成に寄与し、キャリア密
度を増大させてしまう。また、シリコンは酸化物半導体層中で不純物準位の形成に寄与す
る。当該不純物準位はトラップとなり、トランジスタの電気特性を劣化させることがある
。したがって、酸化物半導体層１３０ａ、酸化物半導体層１３０ｂおよび酸化物半導体層
１３０ｃの層中や、それぞれの界面において不純物濃度を低減させることが好ましい。
【０２７４】
酸化物半導体層を真性または実質的に真性とするためには、ＳＩＭＳ（Ｓｅｃｏｎｄａｒ
ｙ  Ｉｏｎ  Ｍａｓｓ  Ｓｐｅｃｔｒｏｍｅｔｒｙ）分析で見積もられるシリコン濃度が
１×１０１９ａｔｏｍｓ／ｃｍ３未満、好ましくは５×１０１８ａｔｏｍｓ／ｃｍ３未満
、さらに好ましくは１×１０１８ａｔｏｍｓ／ｃｍ３未満となる領域を有するように制御
する。また、水素濃度が、２×１０２０ａｔｏｍｓ／ｃｍ３以下、好ましくは５×１０１
９ａｔｏｍｓ／ｃｍ３以下、より好ましくは１×１０１９ａｔｏｍｓ／ｃｍ３以下、さら
に好ましくは５×１０１８ａｔｏｍｓ／ｃｍ３以下になる領域を有するように制御する。
また、窒素濃度は、５×１０１９ａｔｏｍｓ／ｃｍ３未満、好ましくは５×１０１８ａｔ
ｏｍｓ／ｃｍ３以下、より好ましくは１×１０１８ａｔｏｍｓ／ｃｍ３以下、さらに好ま
しくは５×１０１７ａｔｏｍｓ／ｃｍ３以下となる領域を有するように制御する。
【０２７５】
また、シリコンや炭素が高濃度で含まれると、酸化物半導体層の結晶性を低下させること
がある。酸化物半導体層の結晶性を低下させないためには、例えばシリコン濃度を１×１
０１９ａｔｏｍｓ／ｃｍ３未満、好ましくは５×１０１８ａｔｏｍｓ／ｃｍ３未満、さら
に好ましくは１×１０１８ａｔｏｍｓ／ｃｍ３未満になる領域を有するように制御する。
また、炭素濃度を１×１０１９ａｔｏｍｓ／ｃｍ３未満、好ましくは５×１０１８ａｔｏ
ｍｓ／ｃｍ３未満、さらに好ましくは１×１０１８ａｔｏｍｓ／ｃｍ３未満になる領域を
有するように制御する。
【０２７６】
また、上述のように高純度化された酸化物半導体膜をチャネル形成領域に用いたトランジ
スタのオフ電流は極めて小さい。例えば、ソースとドレインとの間の電圧を０．１Ｖ、５
Ｖ、または、１０Ｖ程度とした場合に、トランジスタのチャネル幅あたりのオフ電流を数
ｙＡ／μｍ乃至数ｚＡ／μｍにまで低減することが可能となる。
【０２７７】
なお、トランジスタのゲート絶縁膜としては、シリコンを含む絶縁膜が多く用いられるた
め、上記理由により酸化物半導体層のチャネルとなる領域は、本発明の一態様のトランジ
スタのようにゲート絶縁膜と接しない構造が好ましいということができる。また、ゲート
絶縁膜と酸化物半導体層との界面にチャネルが形成される場合、該界面でキャリアの散乱
が起こり、トランジスタの電界効果移動度が低くなることがある。このような観点からも
、酸化物半導体層のチャネルとなる領域はゲート絶縁膜から離すことが好ましいといえる
。
【０２７８】
したがって、酸化物半導体層１３０を酸化物半導体層１３０ａ、酸化物半導体層１３０ｂ
、酸化物半導体層１３０ｃの積層構造とすることで、酸化物半導体層１３０ｂにチャネル
を形成することができ、高い電界効果移動度および安定した電気特性を有したトランジス
タを形成することができる。
【０２７９】
酸化物半導体層１３０ａ、酸化物半導体層１３０ｂ、酸化物半導体層１３０ｃのバンド構
造においては、伝導帯下端のエネルギーが連続的に変化する。これは、酸化物半導体層１
３０ａ、酸化物半導体層１３０ｂ、酸化物半導体層１３０ｃの組成が近似することにより
、酸素が相互に拡散しやすい点からも理解される。したがって、酸化物半導体層１３０ａ
、酸化物半導体層１３０ｂ、酸化物半導体層１３０ｃは組成が異なる層の積層体ではある
が、物性的に連続であるということもでき、図面において、当該積層体のそれぞれの界面
は点線で表している。
【０２８０】
主成分を共通として積層された酸化物半導体層１３０は、各層を単に積層するのではなく
連続接合（ここでは特に伝導帯下端のエネルギーが各層の間で連続的に変化するＵ字型の
井戸構造（Ｕ  Ｓｈａｐｅ  Ｗｅｌｌ））が形成されるように作製する。すなわち、各層
の界面にトラップ中心や再結合中心のような欠陥準位を形成するような不純物が存在しな
いように積層構造を形成する。仮に、積層された酸化物半導体層の層間に不純物が混在し
ていると、エネルギーバンドの連続性が失われ、界面でキャリアがトラップあるいは再結
合により消滅してしまう。
【０２８１】
例えば、酸化物半導体層１３０ａおよび酸化物半導体層１３０ｃにはＩｎ：Ｇａ：Ｚｎ＝
１：３：２、１：３：３、１：３：４、１：３：６、１：４：５、１：６：４または１：
９：６（原子数比）などのＩｎ−Ｇａ−Ｚｎ酸化物などを用いることができる。また、酸
化物半導体層１３０ｂにはＩｎ：Ｇａ：Ｚｎ＝１：１：１、２：１：３、５：５：６、ま
たは３：１：２（原子数比）などのＩｎ−Ｇａ−Ｚｎ酸化物などを用いることができる。
なお、上記酸化物をスパッタターゲットとして成膜を行った場合、成膜される酸化物半導
体層１３０ａ、酸化物半導体層１３０ｂ、および酸化物半導体層１３０ｃの原子数比は必
ずしも同一とならず、±２０％程度の差を有する。
【０２８２】
酸化物半導体層１３０における酸化物半導体層１３０ｂはウェル（井戸）となり、酸化物
半導体層１３０を用いたトランジスタにおいて、チャネルは酸化物半導体層１３０ｂに形
成される。なお、酸化物半導体層１３０は伝導帯下端のエネルギーが連続的に変化してい
るため、Ｕ字型井戸とも呼ぶことができる。また、このような構成で形成されたチャネル
を埋め込みチャネルということもできる。
【０２８３】
また、酸化物半導体層１３０ａおよび酸化物半導体層１３０ｃと、酸化シリコン膜などの
絶縁層との界面近傍には、不純物や欠陥に起因したトラップ準位が形成され得る。酸化物
半導体層１３０ａおよび酸化物半導体層１３０ｃがあることにより、酸化物半導体層１３
０ｂと当該トラップ準位とを遠ざけることができる。
【０２８４】
ただし、酸化物半導体層１３０ａおよび酸化物半導体層１３０ｃの伝導帯下端のエネルギ
ーと、酸化物半導体層１３０ｂの伝導帯下端のエネルギーとの差が小さい場合、酸化物半
導体層１３０ｂの電子が該エネルギー差を越えてトラップ準位に達することがある。電子
がトラップ準位に捕獲されることで、絶縁層界面にマイナスの電荷が生じ、トランジスタ
のしきい値電圧はプラス方向にシフトしてしまう。
【０２８５】
酸化物半導体層１３０ａ、酸化物半導体層１３０ｂおよび酸化物半導体層１３０ｃには、
結晶部が含まれることが好ましい。特にｃ軸に配向した結晶を用いることでトランジスタ
に安定した電気特性を付与することができる。また、ｃ軸に配向した結晶は歪曲に強く、
フレキシブル基板を用いた半導体装置の信頼性を向上させることができる。
【０２８６】
ソース電極層として作用する導電層１４０およびドレイン電極層として作用する導電層１
５０には、例えば、Ａｌ、Ｃｒ、Ｃｕ、Ｔａ、Ｔｉ、Ｍｏ、Ｗ、Ｎｉ、Ｍｎ、Ｎｄ、Ｓｃ
、および当該金属材料の合金から選ばれた材料の単層、または積層を用いることができる
。代表的には、特に酸素と結合しやすいＴｉや、後のプロセス温度が比較的高くできるこ
となどから、融点の高いＷを用いることがより好ましい。また、低抵抗のＣｕやＣｕ−Ｍ
ｎなどの合金と上記材料との積層を用いてもよい。トランジスタ１０５、トランジスタ１
０６、トランジスタ１１１、トランジスタ１１２においては、例えば、導電層１４１およ
び導電層１５１にＷ、導電層１４２および導電層１５２にＴｉとＡｌとの積層膜などを用
いることができる。
【０２８７】
上記材料は酸化物半導体膜から酸素を引き抜く性質を有する。そのため、上記材料と接し
た酸化物半導体層の一部の領域では酸化物半導体膜中の酸素が脱離し、酸素欠損が形成さ
れる。膜中に僅かに含まれる水素と当該酸素欠損が結合することにより当該領域は顕著に
ｎ型化する。したがって、ｎ型化した当該領域はトランジスタのソースまたはドレインと
して作用させることができる。
【０２８８】
また、導電層１４０および導電層１５０にＷを用いる場合には、窒素をドーピングしても
よい。窒素をドーピングすることで酸素を引き抜く性質を適度に弱めることができ、ｎ型
化した領域がチャネル領域まで拡大することを防ぐことができる。また、導電層１４０お
よび導電層１５０をｎ型の半導体層との積層とし、ｎ型の半導体層と酸化物半導体層を接
触させることによってもｎ型化した領域がチャネル領域まで拡大することを防ぐことがで
きる。ｎ型の半導体層としては、窒素が添加されたＩｎ−Ｇａ−Ｚｎ酸化物、酸化亜鉛、
酸化インジウム、酸化スズ、酸化インジウムスズなどを用いることができる。
【０２８９】
ゲート絶縁膜として作用する絶縁層１６０には、酸化アルミニウム、酸化マグネシウム、
酸化シリコン、酸化窒化シリコン、窒化酸化シリコン、窒化シリコン、酸化ガリウム、酸
化ゲルマニウム、酸化イットリウム、酸化ジルコニウム、酸化ランタン、酸化ネオジム、
酸化ハフニウムおよび酸化タンタルを一種以上含む絶縁膜を用いることができる。また、
絶縁層１６０は上記材料の積層であってもよい。なお、絶縁層１６０に、Ｌａ、Ｎ、Ｚｒ
などを、不純物として含んでいてもよい。
【０２９０】
また、絶縁層１６０の積層構造の一例について説明する。絶縁層１６０は、例えば、酸素
、窒素、シリコン、ハフニウムなどを有する。具体的には、酸化ハフニウム、および酸化
シリコンまたは酸化窒化シリコンを含むと好ましい。
【０２９１】
酸化ハフニウムおよび酸化アルミニウムは、酸化シリコンや酸化窒化シリコンと比べて比
誘電率が高い。したがって、酸化シリコンを用いた場合と比べて絶縁層１６０の膜厚を大
きくできるため、トンネル電流によるリーク電流を小さくすることができる。即ち、オフ
電流の小さいトランジスタを実現することができる。さらに、結晶構造を有する酸化ハフ
ニウムは、非晶質構造を有する酸化ハフニウムと比べて高い比誘電率を備える。したがっ
て、オフ電流の小さいトランジスタとするためには、結晶構造を有する酸化ハフニウムを
用いることが好ましい。結晶構造の例としては、単斜晶系や立方晶系などが挙げられる。
ただし、本発明の一態様は、これらに限定されない。
【０２９２】
また、酸化物半導体層１３０と接する絶縁層１２０および絶縁層１６０は、窒素酸化物の
放出量の少ない膜を用いることが好ましい。窒素酸化物の放出量の多い絶縁層と酸化物半
導体が接した場合、窒素酸化物に起因する準位密度が高くなることがある。絶縁層１２０
および絶縁層１６０には、例えば、窒素酸化物の放出量の少ない酸化窒化シリコン膜また
は酸化窒化アルミニウム膜等の酸化物絶縁層を用いることができる。
【０２９３】
窒素酸化物の放出量の少ない酸化窒化シリコン膜は、ＴＤＳ法において、窒素酸化物の放
出量よりアンモニアの放出量が多い膜であり、代表的にはアンモニアの放出量が１×１０
１８個／ｃｍ３以上５×１０１９個／ｃｍ３以下である。なお、アンモニアの放出量は、
膜の表面温度が５０℃以上６５０℃以下、好ましくは５０℃以上５５０℃以下の加熱処理
による放出量とする。
【０２９４】
絶縁層１２０および絶縁層１６０として、上記酸化物絶縁層を用いることで、トランジス
タのしきい値電圧のシフトを低減することが可能であり、トランジスタの電気特性の変動
を低減することができる。
【０２９５】
ゲート電極層として作用する導電層１７０には、例えば、Ａｌ、Ｔｉ、Ｃｒ、Ｃｏ、Ｎｉ
、Ｃｕ、Ｙ、Ｚｒ、Ｍｏ、Ｒｕ、Ａｇ、Ｍｎ、Ｎｄ、Ｓｃ、ＴａおよびＷなどの導電膜を
用いることができる。また、上記材料の合金や上記材料の導電性窒化物を用いてもよい。
また、上記材料、上記材料の合金、および上記材料の導電性窒化物から選ばれた複数の材
料の積層であってもよい。代表的には、タングステン、タングステンと窒化チタンの積層
、タングステンと窒化タンタルの積層などを用いることができる。また、低抵抗のＣｕま
たはＣｕ−Ｍｎなどの合金や上記材料とＣｕまたはＣｕ−Ｍｎなどの合金との積層を用い
てもよい。本実施の形態では、導電層１７１に窒化タンタル、導電層１７２にタングステ
ンを用いて導電層１７０を形成する。
【０２９６】
絶縁層１７５には、水素を含む窒化シリコン膜または窒化アルミニウム膜などを用いるこ
とができる。実施の形態４に示したトランジスタ１０３、トランジスタ１０４、トランジ
スタ１０６、トランジスタ１０９、トランジスタ１１０、およびトランジスタ１１２では
、絶縁層１７５として水素を含む絶縁膜を用いることで酸化物半導体層の一部をｎ型化す
ることができる。また、窒化絶縁膜は水分などのブロッキング膜としての作用も有し、ト
ランジスタの信頼性を向上させることができる。
【０２９７】
また、絶縁層１７５としては酸化アルミニウム膜を用いることもできる。特に、実施の形
態４に示したトランジスタ１０１、トランジスタ１０２、トランジスタ１０５、トランジ
スタ１０７、トランジスタ１０８、およびトランジスタ１１１では絶縁層１７５に酸化ア
ルミニウム膜を用いることが好ましい。酸化アルミニウム膜は、水素、水分などの不純物
、および酸素の両方に対して膜を透過させない遮断効果が高い。したがって、酸化アルミ
ニウム膜は、トランジスタの作製工程中および作製後において、水素、水分などの不純物
の酸化物半導体層１３０への混入防止、酸素の酸化物半導体層からの放出防止、絶縁層１
２０からの酸素の不必要な放出防止の効果を有する保護膜として用いることに適している
。また、酸化アルミニウム膜に含まれる酸素を酸化物半導体層中に拡散させることもでき
る。
【０２９８】
また、絶縁層１７５上には絶縁層１８０が形成されていることが好ましい。当該絶縁層に
は、酸化マグネシウム、酸化シリコン、酸化窒化シリコン、窒化酸化シリコン、窒化シリ
コン、酸化ガリウム、酸化ゲルマニウム、酸化イットリウム、酸化ジルコニウム、酸化ラ
ンタン、酸化ネオジム、酸化ハフニウムおよび酸化タンタルを一種以上含む絶縁膜を用い
ることができる。また、当該絶縁層は上記材料の積層であってもよい。
【０２９９】
ここで、絶縁層１８０は絶縁層１２０と同様に化学量論組成よりも多くの酸素を有するこ
とが好ましい。絶縁層１８０から放出される酸素は絶縁層１６０を経由して酸化物半導体
層１３０のチャネル形成領域に拡散させることができることから、チャネル形成領域に形
成された酸素欠損に酸素を補填することができる。したがって、安定したトランジスタの
電気特性を得ることができる。
【０３００】
半導体装置を高集積化するにはトランジスタの微細化が必須である。一方、トランジスタ
の微細化によりトランジスタの電気特性が悪化することが知られており、特にチャネル幅
が微細縮小するとオン電流が低下する。
【０３０１】
本発明の一態様のトランジスタ１０７乃至トランジスタ１１２では、チャネルが形成され
る酸化物半導体層１３０ｂを覆うように酸化物半導体層１３０ｃが形成されており、チャ
ネル形成層とゲート絶縁膜が接しない構成となっている。そのため、チャネル形成層とゲ
ート絶縁膜との界面で生じるキャリアの散乱を抑えることができ、トランジスタのオン電
流を大きくすることができる。
【０３０２】
また、本発明の一態様のトランジスタでは、前述したように酸化物半導体層１３０のチャ
ネル幅方向を電気的に取り囲むようにゲート電極層（導電層１７０）が形成されているた
め、酸化物半導体層１３０に対しては上面に垂直な方向からのゲート電界に加えて、側面
に垂直な方向からのゲート電界が印加される。すなわち、チャネル形成層に対して全体的
にゲート電界が印加されることになり実効チャネル幅が拡大するため、さらにオン電流を
高められる。
【０３０３】
また、本発明の一態様における酸化物半導体層１３０が二層または三層のトランジスタで
は、チャネルが形成される酸化物半導体層１３０ｂを酸化物半導体層１３０ａ上に形成す
ることで界面準位を形成しにくくする効果を有する。また、本発明の一態様における酸化
物半導体層１３０が三層のトランジスタでは、酸化物半導体層１３０ｂを三層構造の中間
に位置する層とすることで上下からの不純物混入の影響を排除できる効果などを併せて有
する。そのため、上述したトランジスタのオン電流の向上に加えて、しきい値電圧の安定
化や、Ｓ値（サブスレッショルド値）の低減をはかることができる。したがって、ゲート
電圧ＶＧが０Ｖ時の電流を下げることができ、消費電力を低減させることができる。また
、トランジスタのしきい値電圧が安定化することから、半導体装置の長期信頼性を向上さ
せることができる。また、本発明の一態様のトランジスタは、微細化にともなう電気特性
の劣化が抑えられることから、集積度の高い半導体装置の形成に適しているといえる。
【０３０４】
なお、本実施の形態で説明した金属膜、半導体膜、無機絶縁膜など様々な膜は、代表的に
はスパッタ法やプラズマＣＶＤ法により形成することができるが、他の方法、例えば、熱
ＣＶＤ法により形成してもよい。熱ＣＶＤ法の例としては、ＭＯＣＶＤ（Ｍｅｔａｌ  Ｏ
ｒｇａｎｉｃ  Ｃｈｅｍｉｃａｌ  Ｖａｐｏｒ  Ｄｅｐｏｓｉｔｉｏｎ）法やＡＬＤ（Ａ
ｔｏｍｉｃ  Ｌａｙｅｒ  Ｄｅｐｏｓｉｔｉｏｎ）法などがある。
【０３０５】
熱ＣＶＤ法は、プラズマを使わない成膜方法のため、プラズマダメージにより欠陥が生成
されることが無いという利点を有する。
【０３０６】
また、熱ＣＶＤ法では、原料ガスと酸化剤を同時にチャンバー内に送り、チャンバー内を
大気圧または減圧下とし、基板近傍または基板上で反応させて基板上に堆積させることで
成膜を行ってもよい。
【０３０７】
ＡＬＤ法は、チャンバー内を大気圧または減圧下とし、反応のための原料ガスをチャンバ
ーに導入・反応させ、これを繰り返すことで成膜を行う。原料ガスと一緒に不活性ガス（
アルゴン、或いは窒素など）をキャリアガスとして導入しても良い。例えば２種類以上の
原料ガスを順番にチャンバーに供給してもよい。その際、複数種の原料ガスが混ざらない
ように第１の原料ガスの反応後、不活性ガスを導入し、第２の原料ガスを導入する。ある
いは、不活性ガスを導入する代わりに真空排気によって第１の原料ガスを排出した後、第
２の原料ガスを導入してもよい。第１の原料ガスが基板の表面に吸着・反応して第１の層
を成膜し、後から導入される第２の原料ガスが吸着・反応して、第２の層が第１の層上に
積層されて薄膜が形成される。このガス導入順序を制御しつつ所望の厚さになるまで複数
回繰り返すことで、段差被覆性に優れた薄膜を形成することができる。薄膜の厚さは、ガ
ス導入の繰り返す回数によって調節することができるため、精密な膜厚調節が可能であり
、微細なＦＥＴを作製する場合に適している。
【０３０８】
ＭＯＣＶＤ法やＡＬＤ法などの熱ＣＶＤ法は、これまでに記載した実施形態に開示された
金属膜、半導体膜、無機絶縁膜など様々な膜を形成することができ、例えば、Ｉｎ−Ｇａ
−Ｚｎ−Ｏ膜を成膜する場合には、トリメチルインジウム（Ｉｎ（ＣＨ３）３）、トリメ
チルガリウム（Ｇａ（ＣＨ３）３）、およびジメチル亜鉛（Ｚｎ（ＣＨ３）２）を用いる
ことができる。これらの組み合わせに限定されず、トリメチルガリウムに代えてトリエチ
ルガリウム（Ｇａ（Ｃ２Ｈ５）３）を用いることもでき、ジメチル亜鉛に代えてジエチル
亜鉛（Ｚｎ（Ｃ２Ｈ５）２）を用いることもできる。
【０３０９】
例えば、ＡＬＤを利用する成膜装置により酸化ハフニウム膜を形成する場合には、溶媒と
ハフニウム前駆体を含む液体（ハフニウムアルコキシドや、テトラキスジメチルアミドハ
フニウム（ＴＤＭＡＨ、Ｈｆ［Ｎ（ＣＨ３）２］４）やテトラキス（エチルメチルアミド
）ハフニウムなどのハフニウムアミド）を気化させた原料ガスと、酸化剤としてオゾン（
Ｏ３）の２種類のガスを用いる。
【０３１０】
例えば、ＡＬＤを利用する成膜装置により酸化アルミニウム膜を形成する場合には、溶媒
とアルミニウム前駆体を含む液体（トリメチルアルミニウム（ＴＭＡ、Ａｌ（ＣＨ３）３
）など）を気化させた原料ガスと、酸化剤としてＨ２Ｏの２種類のガスを用いる。他の材
料としては、トリス（ジメチルアミド）アルミニウム、トリイソブチルアルミニウム、ア
ルミニウムトリス（２，２，６，６−テトラメチル−３，５−ヘプタンジオナート）など
がある。
【０３１１】
例えば、ＡＬＤを利用する成膜装置により酸化シリコン膜を形成する場合には、ヘキサク
ロロジシランを被成膜面に吸着させ、酸化性ガス（Ｏ２、一酸化二窒素）のラジカルを供
給して吸着物と反応させる。
【０３１２】
例えば、ＡＬＤを利用する成膜装置によりタングステン膜を成膜する場合には、ＷＦ６ガ
スとＢ２Ｈ６ガスを順次導入して初期タングステン膜を形成し、その後、ＷＦ６ガスとＨ
２ガスを順次導入してタングステン膜を形成する。なお、Ｂ２Ｈ６ガスに代えてＳｉＨ４
ガスを用いてもよい。
【０３１３】
例えば、ＡＬＤを利用する成膜装置により酸化物半導体膜、例えばＩｎ−Ｇａ−Ｚｎ−Ｏ
膜を成膜する場合には、Ｉｎ（ＣＨ３）３ガスとＯ３ガスを順次導入してＩｎ−Ｏ層を形
成し、その後、Ｇａ（ＣＨ３）３ガスとＯ３ガスを順次導入してＧａＯ層を形成し、更に
その後Ｚｎ（ＣＨ３）２ガスとＯ３ガスを順次導入してＺｎＯ層を形成する。なお、これ
らの層の順番はこの例に限らない。これらのガスを用いてＩｎ−Ｇａ−Ｏ層やＩｎ−Ｚｎ
−Ｏ層、Ｇａ−Ｚｎ−Ｏ層などの混合化合物層を形成しても良い。なお、Ｏ３ガスに変え
てＡｒ等の不活性ガスでバブリングして得られたＨ２Ｏガスを用いても良いが、Ｈを含ま
ないＯ３ガスを用いる方が好ましい。
【０３１４】
本実施の形態に示す構成は、他の実施の形態に示す構成と適宜組み合わせて用いることが
できる。
【０３１５】
（実施の形態６）
以下では、本発明の一態様に用いることのできる酸化物半導体膜の構造について説明する
。
【０３１６】
なお、本明細書において、「平行」とは、二つの直線が−１０°以上１０°以下の角度で
配置されている状態をいう。したがって、−５°以上５°以下の場合も含まれる。また、
「垂直」とは、二つの直線が８０°以上１００°以下の角度で配置されている状態をいう
。したがって、８５°以上９５°以下の場合も含まれる。
【０３１７】
また、本明細書において、結晶が三方晶または菱面体晶である場合、六方晶系として表す
。
【０３１８】
酸化物半導体膜は、非単結晶酸化物半導体膜と単結晶酸化物半導体膜とに大別される。非
単結晶酸化物半導体膜とは、ＣＡＡＣ−ＯＳ（Ｃ  Ａｘｉｓ  Ａｌｉｇｎｅｄ  Ｃｒｙｓ
ｔａｌｌｉｎｅ  Ｏｘｉｄｅ  Ｓｅｍｉｃｏｎｄｕｃｔｏｒ）膜、多結晶酸化物半導体膜
、微結晶酸化物半導体膜、非晶質酸化物半導体膜などをいう。
【０３１９】
まずは、ＣＡＡＣ−ＯＳ膜について説明する。
【０３２０】
ＣＡＡＣ−ＯＳ膜は、ｃ軸配向した複数の結晶部を有する酸化物半導体膜の一つである。
【０３２１】
透過型電子顕微鏡（ＴＥＭ：Ｔｒａｎｓｍｉｓｓｉｏｎ  Ｅｌｅｃｔｒｏｎ  Ｍｉｃｒｏ
ｓｃｏｐｅ）によって、ＣＡＡＣ−ＯＳ膜の明視野像および回折パターンの複合解析像（
高分解能ＴＥＭ像ともいう。）を観察することで複数の結晶部を確認することができる。
一方、高分解能ＴＥＭ像によっても明確な結晶部同士の境界、即ち結晶粒界（グレインバ
ウンダリーともいう。）を確認することができない。そのため、ＣＡＡＣ−ＯＳ膜は、結
晶粒界に起因する電子移動度の低下が起こりにくいといえる。
【０３２２】
試料面と概略平行な方向から、ＣＡＡＣ−ＯＳ膜の断面の高分解能ＴＥＭ像を観察すると
、結晶部において、金属原子が層状に配列していることを確認できる。金属原子の各層は
、ＣＡＡＣ−ＯＳ膜の膜を形成する面（被形成面ともいう。）または上面の凹凸を反映し
た形状であり、ＣＡＡＣ−ＯＳ膜の被形成面または上面と平行に配列する。
【０３２３】
一方、試料面と概略垂直な方向から、ＣＡＡＣ−ＯＳ膜の平面の高分解能ＴＥＭ像を観察
すると、結晶部において、金属原子が三角形状または六角形状に配列していることを確認
できる。しかしながら、異なる結晶部間で、金属原子の配列に規則性は見られない。
【０３２４】
ＣＡＡＣ−ＯＳ膜に対し、Ｘ線回折（ＸＲＤ：Ｘ−Ｒａｙ  Ｄｉｆｆｒａｃｔｉｏｎ）装
置を用いて構造解析を行うと、例えばＩｎＧａＺｎＯ４の結晶を有するＣＡＡＣ−ＯＳ膜
のｏｕｔ−ｏｆ−ｐｌａｎｅ法による解析では、回折角（２θ）が３１°近傍にピークが
現れる場合がある。このピークは、ＩｎＧａＺｎＯ４の結晶の（００９）面に帰属される
ことから、ＣＡＡＣ−ＯＳ膜の結晶がｃ軸配向性を有し、ｃ軸が被形成面または上面に概
略垂直な方向を向いていることが確認できる。
【０３２５】
なお、ＩｎＧａＺｎＯ４の結晶を有するＣＡＡＣ−ＯＳ膜のｏｕｔ−ｏｆ−ｐｌａｎｅ法
による解析では、２θが３１°近傍のピークの他に、２θが３６°近傍にもピークが現れ
る場合がある。２θが３６°近傍のピークは、ＣＡＡＣ−ＯＳ膜中の一部に、ｃ軸配向性
を有さない結晶が含まれることを示している。ＣＡＡＣ−ＯＳ膜は、２θが３１°近傍に
ピークを示し、２θが３６°近傍にピークを示さないことが好ましい。
【０３２６】
ＣＡＡＣ−ＯＳ膜は、不純物濃度の低い酸化物半導体膜である。不純物は、水素、炭素、
シリコン、遷移金属元素などの酸化物半導体膜の主成分以外の元素である。特に、シリコ
ンなどの、酸化物半導体膜を構成する金属元素よりも酸素との結合力の強い元素は、酸化
物半導体膜から酸素を奪うことで酸化物半導体膜の原子配列を乱し、結晶性を低下させる
要因となる。また、鉄やニッケルなどの重金属、アルゴン、二酸化炭素などは、原子半径
（または分子半径）が大きいため、酸化物半導体膜内部に含まれると、酸化物半導体膜の
原子配列を乱し、結晶性を低下させる要因となる。なお、酸化物半導体膜に含まれる不純
物は、キャリアトラップやキャリア発生源となる場合がある。
【０３２７】
また、ＣＡＡＣ−ＯＳ膜は、欠陥準位密度の低い酸化物半導体膜である。例えば、酸化物
半導体膜中の酸素欠損は、キャリアトラップとなることや、水素を捕獲することによって
キャリア発生源となることがある。
【０３２８】
不純物濃度が低く、欠陥準位密度が低い（酸素欠損の少ない）ことを、高純度真性または
実質的に高純度真性と呼ぶ。高純度真性または実質的に高純度真性である酸化物半導体膜
は、キャリア発生源が少ないため、キャリア密度を低くすることができる。したがって、
当該酸化物半導体膜を用いたトランジスタは、しきい値電圧がマイナスとなる電気特性（
ノーマリーオンともいう。）になることが少ない。また、高純度真性または実質的に高純
度真性である酸化物半導体膜は、キャリアトラップが少ない。そのため、当該酸化物半導
体膜を用いたトランジスタは、電気特性の変動が小さく、信頼性の高いトランジスタとな
る。なお、酸化物半導体膜のキャリアトラップに捕獲された電荷は、放出するまでに要す
る時間が長く、あたかも固定電荷のように振る舞うことがある。そのため、不純物濃度が
高く、欠陥準位密度が高い酸化物半導体膜を用いたトランジスタは、電気特性が不安定と
なる場合がある。
【０３２９】
また、ＣＡＡＣ−ＯＳ膜を用いたトランジスタは、可視光や紫外光の照射による電気特性
の変動が小さい。
【０３３０】
次に、微結晶酸化物半導体膜について説明する。
【０３３１】
微結晶酸化物半導体膜は、高分解能ＴＥＭ像において、結晶部を確認することのできる領
域と、明確な結晶部を確認することのできない領域と、を有する。微結晶酸化物半導体膜
に含まれる結晶部は、１ｎｍ以上１００ｎｍ以下、または１ｎｍ以上１０ｎｍ以下の大き
さであることが多い。特に、１ｎｍ以上１０ｎｍ以下、または１ｎｍ以上３ｎｍ以下の微
結晶であるナノ結晶（ｎｃ：ｎａｎｏｃｒｙｓｔａｌ）を有する酸化物半導体膜を、ｎｃ
−ＯＳ（ｎａｎｏｃｒｙｓｔａｌｌｉｎｅ  Ｏｘｉｄｅ  Ｓｅｍｉｃｏｎｄｕｃｔｏｒ）
膜と呼ぶ。また、ｎｃ−ＯＳ膜は、例えば、高分解能ＴＥＭ像では、結晶粒界を明確に確
認できない場合がある。
【０３３２】
ｎｃ−ＯＳ膜は、微小な領域（例えば、１ｎｍ以上１０ｎｍ以下の領域、特に１ｎｍ以上
３ｎｍ以下の領域）において原子配列に周期性を有する。また、ｎｃ−ＯＳ膜は、異なる
結晶部間で結晶方位に規則性が見られない。そのため、膜全体で配向性が見られない。し
たがって、ｎｃ−ＯＳ膜は、分析方法によっては、非晶質酸化物半導体膜と区別が付かな
い場合がある。例えば、ｎｃ−ＯＳ膜に対し、結晶部よりも大きい径のＸ線を用いるＸＲ
Ｄ装置を用いて構造解析を行うと、ｏｕｔ−ｏｆ−ｐｌａｎｅ法による解析では、結晶面
を示すピークが検出されない。また、ｎｃ−ＯＳ膜に対し、結晶部よりも大きいプローブ
径（例えば５０ｎｍ以上）の電子線を用いる電子回折（制限視野電子回折ともいう。）を
行うと、ハローパターンのような回折パターンが観測される。一方、ｎｃ−ＯＳ膜に対し
、結晶部の大きさと近いか結晶部より小さいプローブ径の電子線を用いるナノビーム電子
回折を行うと、スポットが観測される。また、ｎｃ−ＯＳ膜に対しナノビーム電子回折を
行うと、円を描くように（リング状に）輝度の高い領域が観測される場合がある。また、
ｎｃ−ＯＳ膜に対しナノビーム電子回折を行うと、リング状の領域内に複数のスポットが
観測される場合がある。
【０３３３】
ｎｃ−ＯＳ膜は、非晶質酸化物半導体膜よりも規則性の高い酸化物半導体膜である。その
ため、ｎｃ−ＯＳ膜は、非晶質酸化物半導体膜よりも欠陥準位密度が低くなる。ただし、
ｎｃ−ＯＳ膜は、異なる結晶部間で結晶方位に規則性が見られない。そのため、ｎｃ−Ｏ
Ｓ膜は、ＣＡＡＣ−ＯＳ膜と比べて欠陥準位密度が高くなる。
【０３３４】
次に、非晶質酸化物半導体膜について説明する。
【０３３５】
非晶質酸化物半導体膜は、膜中における原子配列が不規則であり、結晶部を有さない酸化
物半導体膜である。石英のような無定形状態を有する酸化物半導体膜が一例である。
【０３３６】
非晶質酸化物半導体膜は、高分解能ＴＥＭ像において結晶部を確認することができない。
【０３３７】
非晶質酸化物半導体膜に対し、ＸＲＤ装置を用いた構造解析を行うと、ｏｕｔ−ｏｆ−ｐ
ｌａｎｅ法による解析では、結晶面を示すピークが検出されない。また、非晶質酸化物半
導体膜に対し、電子回折を行うと、ハローパターンが観測される。また、非晶質酸化物半
導体膜に対し、ナノビーム電子回折を行うと、スポットが観測されず、ハローパターンが
観測される。
【０３３８】
なお、酸化物半導体膜は、ｎｃ−ＯＳ膜と非晶質酸化物半導体膜との間の物性を示す構造
を有する場合がある。そのような構造を有する酸化物半導体膜を、特に非晶質ライク酸化
物半導体（ａ−ｌｉｋｅ  ＯＳ：ａｍｏｒｐｈｏｕｓ−ｌｉｋｅ  Ｏｘｉｄｅ  Ｓｅｍｉ
ｃｏｎｄｕｃｔｏｒ）膜と呼ぶ。
【０３３９】
ａ−ｌｉｋｅ  ＯＳ膜は、高分解能ＴＥＭ像において鬆（ボイドともいう。）が観察され
る場合がある。また、高分解能ＴＥＭ像において、明確に結晶部を確認することのできる
領域と、結晶部を確認することのできない領域と、を有する。ａ−ｌｉｋｅ  ＯＳ膜は、
ＴＥＭによる観察程度の微量な電子照射によって、結晶化が起こり、結晶部の成長が見ら
れる場合がある。一方、良質なｎｃ−ＯＳ膜であれば、ＴＥＭによる観察程度の微量な電
子照射による結晶化はほとんど見られない。
【０３４０】
なお、ａ−ｌｉｋｅ  ＯＳ膜およびｎｃ−ＯＳ膜の結晶部の大きさの計測は、高分解能Ｔ
ＥＭ像を用いて行うことができる。例えば、ＩｎＧａＺｎＯ４の結晶は層状構造を有し、
Ｉｎ−Ｏ層の間に、Ｇａ−Ｚｎ−Ｏ層を２層有する。ＩｎＧａＺｎＯ４の結晶の単位格子
は、Ｉｎ−Ｏ層を３層有し、またＧａ−Ｚｎ−Ｏ層を６層有する、計９層がｃ軸方向に層
状に重なった構造を有する。よって、これらの近接する層同士の間隔は、（００９）面の
格子面間隔（ｄ値ともいう。）と同程度であり、結晶構造解析からその値は０．２９ｎｍ
と求められている。そのため、高分解能ＴＥＭ像における格子縞に着目し、格子縞の間隔
が０．２８ｎｍ以上０．３０ｎｍ以下である箇所においては、それぞれの格子縞がＩｎＧ
ａＺｎＯ４の結晶のａ−ｂ面に対応する。
【０３４１】
なお、酸化物半導体膜は、例えば、非晶質酸化物半導体膜、ａ−ｌｉｋｅ  ＯＳ膜、微結
晶酸化物半導体膜、ＣＡＡＣ−ＯＳ膜のうち、二種以上を有する積層膜であってもよい。
【０３４２】
本実施の形態に示す構成は、他の実施の形態に示す構成と適宜組み合わせて用いることが
できる。
（実施の形態７）
【０３４３】
本発明の一態様に係る撮像装置および当該撮像装置を含む半導体装置は、表示機器、パー
ソナルコンピュータ、記録媒体を備えた画像再生装置（代表的にはＤＶＤ：Ｄｉｇｉｔａ
ｌ  Ｖｅｒｓａｔｉｌｅ  Ｄｉｓｃ等の記録媒体を再生し、その画像を表示しうるディス
プレイを有する装置）に用いることができる。その他に、本発明の一態様に係る撮像装置
および当該撮像装置を含む半導体装置を用いることができる電子機器として、携帯電話、
携帯型を含むゲーム機、携帯データ端末、電子書籍端末、ビデオカメラ、デジタルスチル
カメラ等のカメラ、ゴーグル型ディスプレイ（ヘッドマウントディスプレイ）、ナビゲー
ションシステム、音響再生装置（カーオーディオ、デジタルオーディオプレイヤー等）、
複写機、ファクシミリ、プリンタ、プリンタ複合機、現金自動預け入れ払い機（ＡＴＭ）
、自動販売機などが挙げられる。これら電子機器の具体例を図４０に示す。
【０３４４】
図４０（Ａ）は携帯型ゲーム機であり、筐体９０１、筐体９０２、表示部９０３、表示部
９０４、マイク９０５、スピーカー９０６、操作キー９０７、スタイラス９０８、カメラ
９０９等を有する。なお、図４０（Ａ）に示した携帯型ゲーム機は、２つの表示部９０３
と表示部９０４とを有しているが、携帯型ゲーム機が有する表示部の数は、これに限定さ
れない。カメラ９０９には本発明の一態様の撮像装置を用いることができる。
【０３４５】
図４０（Ｂ）は携帯データ端末であり、筐体９１１、表示部９１２、カメラ９１９等を有
する。表示部９１２が有するタッチパネル機能により情報の入出力を行うことができる。
カメラ９１９には本発明の一態様の撮像装置を用いることができる。
【０３４６】
図４０（Ｃ）はデジタルカメラであり、筐体９２１、シャッターボタン９２２、マイク９
２３、発光部９２７、レンズ９２５等を有する。レンズ９２５の焦点となる位置には本発
明の一態様の撮像装置を備えることができる。
【０３４７】
図４０（Ｄ）は腕時計型の情報端末であり、筐体９３１、表示部９３２、リストバンド９
３３、カメラ９３９等を有する。表示部９３２はタッチパネルとなっていてもよい。カメ
ラ９３９には本発明の一態様の撮像装置を用いることができる。
【０３４８】
図４０（Ｅ）はビデオカメラであり、第１筐体９４１、第２筐体９４２、表示部９４３、
操作キー９４４、レンズ９４５、接続部９４６等を有する。操作キー９４４およびレンズ
９４５は第１筐体９４１に設けられており、表示部９４３は第２筐体９４２に設けられて
いる。そして、第１筐体９４１と第２筐体９４２とは、接続部９４６により接続されてお
り、第１筐体９４１と第２筐体９４２の間の角度は、接続部９４６により変更が可能であ
る。表示部９４３における映像を、接続部９４６における第１筐体９４１と第２筐体９４
２との間の角度に従って切り替える構成としても良い。レンズ９４５の焦点となる位置に
は本発明の一態様の撮像装置を備えることができる。
【０３４９】
図４０（Ｆ）は携帯電話であり、筐体９５１に、表示部９５２、マイク９５７、スピーカ
ー９５４、カメラ９５９、入出力端子９５６、操作用のボタン９５５等を有する。カメラ
９５９には本発明の一態様の撮像装置を用いることができる。
【０３５０】
なお、本実施の形態は、本明細書で示す他の実施の形態と適宜組み合わせることができる
。
【符号の説明】
【０３５１】
４０    シリコン基板
４１    絶縁層
４１ａ    絶縁層
４１ｂ    絶縁層
４４    絶縁層
５１    トランジスタ
５２    トランジスタ
５３    トランジスタ
５４    トランジスタ
５５    トランジスタ
５６    トランジスタ
５７    トランジスタ
５８    活性層
５９    容量素子
６０    光電変換素子
６１    光電変換層
６２    透光性導電層
６３    半導体層
６４    半導体層
６５    半導体層
６６    電極
６６ａ    導電層
６６ｂ    導電層
６７    隔壁
７１    配線
７２    配線
７３    配線
７４    配線
７５    配線
７６    配線
７７    配線
７７ａ    導電層
７７ｂ    導電層
７８    配線
８０    絶縁層
８１    導電体
９１    回路
９２    回路
１０１    トランジスタ
１０２    トランジスタ
１０３    トランジスタ
１０４    トランジスタ
１０５    トランジスタ
１０６    トランジスタ
１０７    トランジスタ
１０８    トランジスタ
１０９    トランジスタ
１１０    トランジスタ
１１１    トランジスタ
１１２    トランジスタ
１１５    基板
１２０    絶縁層
１３０    酸化物半導体層
１３０ａ    酸化物半導体層
１３０ｂ    酸化物半導体層
１３０ｃ    酸化物半導体層
１４０    導電層
１４１    導電層
１４２    導電層
１５０    導電層
１５１    導電層
１５２    導電層
１６０    絶縁層
１７０    導電層
１７１    導電層
１７２    導電層
１７３    導電層
１７５    絶縁層
１８０    絶縁層
２３１    領域
２３２    領域
２３３    領域
３１１    配線
３１２    配線
３１３    配線
３１４    配線
３１５    配線
３１６    配線
３１７    配線
３３１    領域
３３２    領域
３３３    領域
３３４    領域
３３５    領域
５０１    信号
５０２    信号
５０３    信号
５０４    信号
５０５    信号
５０６    信号
５０７    信号
５０８    信号
５０９    信号
５１０    期間
５１１    期間
５２０    期間
５３１    期間
６１０    期間
６１１    期間
６１２    期間
６１３    期間
６２１    期間
６２２    期間
６２３    期間
６３１    期間
７０１    信号
７０２    信号
７０３    信号
７０４    信号
７０５    信号
９０１    筐体
９０２    筐体
９０３    表示部
９０４    表示部
９０５    マイク
９０６    スピーカー
９０７    操作キー
９０８    スタイラス
９０９    カメラ
９１１    筐体
９１２    表示部
９１９    カメラ
９２１    筐体
９２２    シャッターボタン
９２３    マイク
９２５    レンズ
９２７    発光部
９３１    筐体
９３２    表示部
９３３    リストバンド
９３９    カメラ
９４１    筐体
９４２    筐体
９４３    表示部
９４４    操作キー
９４５    レンズ
９４６    接続部
９５１    筐体
９５２    表示部
９５４    スピーカー
９５５    ボタン
９５６    入出力端子
９５７    マイク
９５９    カメラ
１１００    層
１２００    層
１３００    層
１４００    層
１５００    層
１６００    層
２５００    絶縁層
２５１０    遮光層
２５２０    有機樹脂層
２５３０    カラーフィルタ
２５３０ａ    カラーフィルタ
２５３０ｂ    カラーフィルタ
２５３０ｃ    カラーフィルタ
２５４０    マイクロレンズアレイ
２５５０    光学変換層
２５６０    絶縁層
【図１】
2020191471.tif 000003
【図２】
2020191471.tif 000004
【図３】
2020191471.tif 000005
【図４】
2020191471.tif 000006
【図５】
2020191471.tif 000007
【図６】
2020191471.tif 000008
【図７】
2020191471.tif 000009
【図８】
2020191471.tif 000010
【図９】
2020191471.tif 000011
【図１０】
2020191471.tif 000012
【図１１】
2020191471.tif 000013
【図１２】
2020191471.tif 000014
【図１３】
2020191471.tif 000015
【図１４】
2020191471.tif 000016
【図１５】
2020191471.tif 000017
【図１６】
2020191471.tif 000018
【図１７】
2020191471.tif 000019
【図１８】
2020191471.tif 000020
【図１９】
2020191471.tif 000021
【図２０】
2020191471.tif 000022
【図２１】
2020191471.tif 000023
【図２２】
2020191471.tif 000024
【図２３】
2020191471.tif 000025
【図２４】
2020191471.tif 000026
【図２５】
2020191471.tif 000027
【図２６】
2020191471.tif 000028
【図２７】
2020191471.tif 000029
【図２８】
2020191471.tif 000030
【図２９】
2020191471.tif 000031
【図３０】
2020191471.tif 000032
【図３１】
2020191471.tif 000033
【図３２】
2020191471.tif 000034
【図３３】
2020191471.tif 000035
【図３４】
2020191471.tif 000036
【図３５】
2020191471.tif 000037
【図３６】
2020191471.tif 000038
【図３７】
2020191471.tif 000039
【図３８】
2020191471.tif 000040
【図３９】
2020191471.tif 000041
【図４０】
2020191471.tif 000042
【図４１】
2020191471.tif 000043
【図４２】
2020191471.tif 000044
【図４３】
2020191471.tif 000045
【図４４】
2020191471.tif 000046